(57)【要約】クライアント端末ＣＴから現在受信中のラジオ局ＲＳを識別するコールサインを受信し、コールサインに対応したラジオ局ＲＳに関する情報提供サービスの状態を示す状態情報を当該クライアント端末ＣＴへ送信する際、少なくとも情報提供サービスが利用可能であるとき、状態情報と共に当該情報提供サービスに対応したＵＲＬをクライアント端末ＣＴに対して送信することにより、ラジオ局ＲＳに関する情報提供サービスの状態を示す状態情報と共に当該情報提供サービスに対応したＵＲＬをクライアント端末ＣＴに提供することができるので、情報提供サービスにアクセスする以前の段階で当該情報提供サービスのサービス状態をユーザに対して明確に認識させることができる。
2005006229.tif 000002
【特許請求の範囲】
【請求項１】
コンテンツの関連情報を受信する通信装置において、
受信中の放送情報内に含まれるコンテンツの関連情報を提供する外部装置に対してユーザ登録を要求するためにユーザ個人情報を送信する送信手段と、
上記ユーザ個人情報を記憶媒体に記憶する記憶手段と、
上記外部装置に対しアクセス要求をするとき、上記記憶媒体に上記ユーザ個人情報が記憶されているか否かを検出する検出手段と、
上記検出手段による検出結果に応じて、上記コンテンツの関連情報を要求する関連情報要求情報を送信する送信手段と、
上記検出手段による検出結果に応じて、上記外部装置により実施される上記コンテンツの関連情報を提供するサービスに関する情報を通知する通知手段と
を有することを特徴とする通信装置。
【請求項２】
上記送信手段は、
上記検出手段による検出結果に応じて、上記外部装置が上記コンテンツの関連情報を提供するサービスを実施しているか否かを示す情報を要求する実施有無要求情報を送信し、
上記通知手段は、
上記実施有無要求情報に対して返信される上記外部装置が上記サービスを実施しているか否かを示す情報を受信し、当該情報に基づいて、上記外部装置が上記コンテンツの関連情報を提供するサービスを実施しているか否かを通知する
ことを特徴とする請求の範囲第１項に記載の通信装置。
【請求項３】
送信した上記実施有無要求情報に対する返信に応じて、上記ユーザ登録を促進する宣伝情報を表示する表示手段を有する
ことを特徴とする請求の範囲第２項に記載の通信装置。
【請求項４】
送信した上記実施有無要求情報に対する返信に上記ユーザ登録を促進する宣伝情報を示すＵＲＬが含まれる
ことを特徴とする請求の範囲第２項に記載の通信装置。
【請求項５】
上記ユーザ個人情報は、少なくとも上記通信装置の名称に対応する名称情報を含む
ことを特徴とする請求の範囲第１項に記載の通信装置。
【請求項６】
コンテンツの関連情報を提供する通信装置において、
ユーザ登録されるユーザ個人情報をユーザが使用するユーザ通信装置から受信する受信手段と、
上記受信手段により受信されたユーザ個人情報を顧客情報として登録する登録手段と、
上記受信手段が、上記ユーザ通信装置が受信中の放送情報内に含まれるコンテンツの関連情報を取得するためのネットワークアドレスを要求する要求情報を上記ユーザ個人情報と共に受信したとき、上記ユーザ個人情報と上記顧客情報内のユーザ個人情報とを比較して認証する認証手段と、
上記認証手段による認証結果に応じて、上記ネットワークアドレスを返信する送信手段と
を具えることを特徴とする通信装置。
【請求項７】
上記送信手段は、
上記認証手段により認証され、上記放送に対応するサーバが関連情報提供サービスを行っているときには、上記ネットワークアドレスを返信し、上記認証手段により認証されなかったときには、上記放送に対応するサーバが関連情報提供サービスを行っているか否かを示す情報を返信する
ことを特徴とする請求の範囲第６項に記載の通信装置。
【請求項８】
上記ユーザ個人情報には端末装置の名称を示す装置名称情報が含まれ、
上記認証手段は、上記ユーザ個人情報内のユーザ識別情報に関連づけて上記装置名称情報が登録されているか否かに応じて認証処理を行う
ことを特徴とする請求の範囲第６項に記載の通信装置。
【請求項９】
コンテンツの関連情報を受信する通信装置の通信方法において、
受信中の放送情報内に含まれるコンテンツの関連情報を提供する外部装置に対してユーザ登録を要求するためにユーザ個人情報を送信し、
上記ユーザ個人情報を記憶媒体に記憶し、
上記外部装置に対しアクセス要求をするとき、上記記憶媒体に上記ユーザ個人情報が記憶されているか否かを検出し、
上記検出の結果に応じて、上記コンテンツの関連情報を要求する関連情報要求情報を送信し、また上記検出の結果に応じて、上記外部装置により実施される上記コンテンツの関連情報を提供するサービスに関する情報を通知する
ことを特徴とする通信装置の通信方法。
【請求項１０】
コンテンツの関連情報を提供する通信装置の通信方法において、
ユーザ登録されるユーザ個人情報をユーザが使用するユーザ通信装置から受信し、
上記受信されたユーザ個人情報を顧客情報として登録し、
上記ユーザ通信装置が受信中の放送情報内に含まれるコンテンツの関連情報を取得するためのネットワークアドレスを要求する要求情報を上記ユーザ個人情報と共に受信したとき、上記ユーザ個人情報と上記顧客情報内のユーザ個人情報とを比較して認証し、
上記認証の結果に応じて、上記ネットワークアドレスを返信する
ことを特徴とする通信装置の通信方法。
【請求項１１】
上記サーバが、上記ユーザ通信装置から上記ネットワークアドレスに基づいて送信される、上記関連情報を要求する要求情報と、当該サーバとのセッションＩＤであるサービスセッションＩＤとを受信し、
上記サーバが、上記サービスセッションＩＤにより認証処理を行い、認証エラーのとき、認証エラーを示す情報と当該サーバを識別する識別情報とを上記ユーザ通信装置に送信し、
認証サーバが、上記ユーザ通信装置から、上記サーバへアクセスするための認証チケットの発行を要求する認証チケット発行要求情報を、当該認証サーバとのセッションＩＤである認証セッションＩＤと共に受信し、
上記認証サーバが、上記認証セッションＩＤを認証処理し、認証を許可するとき、認証チケットを発行すると共に当該発行した認証チケットを上記ユーザ通信装置に送信し、
上記サーバが、上記ユーザ通信装置から送信された認証チケットを受信すると共に当該受信した認証チケットを上記認証サーバに送信し、
上記認証サーバが、受信した上記認証チケットが正当であると認証したとき認証許可を示す情報を上記サーバに送信し、
上記サーバが、上記認証許可を示す情報を受信すると、上記ユーザ通信装置とのセッションＩＤであるサービスセッションＩＤを発行すると共に当該発行したサービスセッションＩＤを上記ユーザ通信装置に送信し、
上記サーバが、上記ユーザ通信装置から、上記関連情報を要求する要求情報を、上記サービスセッションＩＤと共に受信し、
上記サーバが、上記サービスセッションＩＤにより認証処理を行い、認証を許可するとき、上記要求情報に応じた関連情報を上記ユーザ通信装置に対して送信する。
ことを特徴とする請求の範囲第１０項に記載の通信方法。
【請求項１２】
コンテンツの関連情報を受信する通信装置の通信プログラムにおいて、
コンピュータに、
受信中の放送情報内に含まれるコンテンツの関連情報を提供する外部装置に対してユーザ登録を要求するためにユーザ個人情報を送信し、
上記ユーザ個人情報を記憶媒体に記憶し、
上記外部装置に対しアクセス要求をするとき、上記記憶媒体に上記ユーザ個人情報が記憶されているか否かを検出し、
上記検出の結果に応じて、上記コンテンツの関連情報を要求する関連情報要求情報を送信し、また上記検出の結果に応じて、上記外部装置上記コンテンツの関連情報を提供するサービスに関する情報を通知する処理を実行させる
ことを特徴とする通信装置の通信プログラム。
【請求項１３】
コンテンツの関連情報を提供する通信装置の通信プログラムにおいて、
コンピュータに、
ユーザ登録されるユーザ個人情報をユーザが使用するユーザ通信装置から受信し、
上記ユーザ通信装置が上記ユーザ個人情報を記憶しているか否かを検出した検出結果に応じて送信する、コンテンツの関連情報を要求する関連情報要求情報、を受信する処理を実行させる
ことを特徴とする通信装置の通信プログラム。
【発明の詳細な説明】
【技術分野】  本発明は通信装置、通信装置の通信方法、および通信装置の通信プログラムに関し、特にコンテンツの関連情報を受信、提供する通信装置、通信装置の通信方法、および通信装置の通信プログラムに関する。
【背景技術】  現在、ラジオ放送局は、インターネット上で各局固有の情報を視聴者に対して提供している。具体的には、現在番組で放送している楽曲の名称や演奏者名、楽曲が記録されているＣＤ（Ｃｏｍｐａｃｔ  Ｄｉｓｃ）の名称や番号など楽曲の関連情報（ＮｏｗＯｎＡｉｒ：ナウオンエアー）をインターネット上で提供している。
このナウオンエアーを、表示装置を具備したＣＥ（Ｃｏｎｓｕｍｅｒ  Ｅｌｅｃｔｒｏｎｉｃｓ）機器（例えば、オーディオ機器）にネットワークを介して送信し、表示するサービスがある。視聴者は、放送されている楽曲が気に入ったならば、ＣＥ機器の表示装置に表示されているナウオンエアーを見て、その楽曲の情報を得ることができる。
視聴者は、このサービスをＣＥ機器で受けるには、ナウオンエアーを提供しているサービスプロバイダの会員になる必要がある。そこで、会員になってない視聴者がラジオ放送を受信しているときに、サービスプロバイダに入会するとナウオンエアーを見ることができる旨の入会案内をすることが望まれる。
なお、１以上の放送局により地上波放送を放送し、放送信号としてＭＰＥＧ−２Ｓｙｓｔｅｍｓを適用した地上デジタル放送送受信システムにおいて、各放送局が、放送内容が同じ放送単位である送出マスター毎に、ネットワークＩＤを付与することにより、伝送するデータの冗長度を下げ、より大量の情報を放送することができる地上デジタル放送送受信システムがある（例えば、特許文献１参照）。
【特許文献１】特開２００２−５７６４０号公報（第６頁、第１図）。
ところで、例えば放送局である外部装置によっては、例えばナウオンエアーであるコンテンツの関連情報を提供していない外部装置もある。そのため、視聴者は入会案内により入会したものの、希望するコンテンツの関連情報を受けることができない場合があるという問題点があった。
【発明の開示】
本発明はこのような点に鑑みてなされたものであり、コンテンツの関連情報を提供しているか否かを示す情報を外部装置に要求して、提供されているコンテンツの関連情報をユーザに受けさせることを可能にした通信装置、通信装置の通信方法、および通信装置の通信プログラムを提供することを目的とする。
本発明では上記問題を解決するために、コンテンツの関連情報を受信する通信装置において、受信中の放送情報内に含まれるコンテンツの関連情報を提供する外部装置に対してユーザ登録を要求するためにユーザ個人情報を送信する送信手段と、ユーザ個人情報を記憶媒体に記憶する記憶手段と、外部装置に対しアクセス要求をするとき、記憶媒体にユーザ個人情報が記憶されているか否かを検出する検出手段と、検出手段による検出結果に応じて、コンテンツの関連情報を要求する関連情報要求情報を送信する送信手段と、外部装置により実施されるコンテンツの関連情報を提供するサービスに関する情報を通知することを特徴とする通信装置が提供される。
このような通信装置によれば、コンテンツの関連情報を提供する外部装置にユーザ登録をしたときに送信したユーザ個人情報を記憶媒体に記憶する。そして、外部装置に対しアクセス要求をするとき、記憶媒体にユーザ個人情報が記憶されているか否かを検出し、検出結果に応じて、コンテンツの関連情報を要求する関連情報要求情報を送信し、また検出結果に応じて、外部装置により実施されるコンテンツの関連情報を提供するサービスに関する情報を通知する。
本発明の通信装置では、ユーザがユーザ登録をしているか否かを、記憶媒体にユーザ個人情報が記憶されているか否かを検出することによって判断し、その検出結果に応じて、コンテンツの関連情報を要求する関連情報要求情報を送信し、また検出結果に応じて、外部装置により実施されるコンテンツの関連情報を提供するサービスに関する情報を通知するようにした。
これにより、ユーザがユーザ登録をしていなければ、外部装置により実施されるコンテンツの関連情報を提供するサービスに関する情報を通知し、この情報に基づいて入会案内を表示すればよく、提供されているコンテンツの関連情報を受けることが可能となる。
【図面の簡単な説明】  図１は、本発明の原理を説明する原理図である。
図２は、本発明の第１の実施の形態に係るネットワークシステムを示す図である。
図３は、端末装置の外観を示す図である。
図４は、端末装置のハードウェア構成を示すブロックである。
図５は、端末装置のプログラムモジュール構成を示す図である。
図６は、総合サービスサーバのハードウェア構成を示す図である。
図７は、ユーザ登録の処理の流れを示したシーケンス図である。
図８は、ユーザ登録の有無を端末装置が判断する場合のナウオンエアーの受信の流れを示したシーケンス図である。
図９は、ユーザ登録の有無を総合サービスサーバが判断する場合のナウオンエアーの受信の流れを示したシーケンス図である。
図１０は、本発明の第２の実施の形態によるクライアント端末の機能回路ブロックによるハードウェア構成を示すブロック図である。
図１１は、ポータルサーバの機能回路ブロックによるハードウェア構成を示すブロック図である。
図１２は、ラジオ放送情報配信サーバの機能回路ブロックによるハードウェア構成を示すブロック図である。
図１３は、クライアント端末及びポータルサーバ間のユーザ認証処理手順を示すシーケンスチャートである。
図１４は、クライアント端末及びサービス提供サーバ間のユーザ認証処理手順を示すシーケンスチャートである。
図１５は、ラジオ放送情報（ナウオンエア情報）配信サービス提供処理手順を示すシーケンスチャートである。
【符号の説明】
１……通信装置、１ａ……送信手段、１ｂ……記憶手段、１ｃ……記憶媒体、１ｄ……検出手段、１ｅ……送信選択手段、２……外部装置、１０……端末装置、１１，３５ａ……ＣＰＵ、１２……、バス、１３……ＲＯＭ、１４……入力処理部、１５……操作入力部、１６……表示処理部、１７……表示装置、１９ａ，１９ｂ……メディアドライブ、２０……ＲＡＭ、２１……ＨＤＤ、２２……通信処理部、２３……ネットワークインタフェース、２４……オーディオデータ処理部、２５……スピーカ、２８……赤外線通信部、３０……ネットワーク、３１……ＣＤタイトル情報提供サーバ、３２……放送局サーバ、３３……音楽配信サーバ、３４……ＣＤショップサーバ、３５……総合サービスサーバ、３６……インターネットラジオサーバ、４０……リモートコントローラ、４１ａ〜４１ｄ……方向キー、４２……決定キー、４３ａ〜４３ｃ……ファンクション選択キー、４４……ツールキー、４５……戻るキー、１００２……クライアント端末、１００３……ポータルサーバ、１００６……ラジオ放送情報配信サーバ
【発明を実施するための最良の形態】（１）本発明の基本原理
以下、本発明の原理を図面を参照して詳細に説明する。図１は、本発明の原理を説明する原理図である。図に示すように、通信装置１は、送信手段１ａ、記憶手段１ｂ、記憶媒体１ｃ、検出手段１ｄ、および送信選択手段１ｅを有している。通信装置１は、ネットワークを介して外部装置２と接続されている。外部装置２は、無線または有線の放送を行い、放送している放送情報内に含まれるコンテンツの関連情報をネットワーク上で提供している。なお、外部装置２は、無線または有線の放送する装置と別々であってもよい。
通信装置１の送信手段１ａは、受信中の放送情報内に含まれるコンテンツの関連情報を提供する外部装置２に対してユーザ登録を要求するためにユーザ個人情報を送信する。記憶手段１ｂは、外部装置２に送信したユーザ個人情報を記憶媒体１ｃに記憶する。
検出手段１ｄは、外部装置２に対しアクセス要求をするとき、ユーザ個人情報が記憶媒体１ｃに記憶されているか否かを検出する。送信選択手段１ｅは、検出手段１ｄによる検出結果に応じて、コンテンツの関連情報を要求する関連情報要求情報、および外部装置２がコンテンツの関連情報を提供するサービスを実施しているか否かを示す情報を要求する実施有無要求情報のうちいずれか一方を選択的に送信する。送信選択手段１ｅは、外部装置２に送信したユーザ個人情報が記憶媒体１ｃに記憶されていれば、コンテンツの関連情報を要求する関連情報要求情報を外部装置２に送信する。送信選択手段１ｅは、ユーザ個人情報が記憶媒体１ｃに記憶されていなければ、外部装置２がコンテンツの関連情報を提供するサービスを実施しているか否かを示す情報を要求する実施有無要求情報を外部装置２に送信する。
外部装置２は、関連情報要求情報を受信すると、放送している放送情報内に含まれるコンテンツの関連情報を通信装置１に送信する。また、外部装置２は、実施有無要求情報を受信すると、放送している放送情報内に含まれるコンテンツの関連情報を提供しているサービスを実施しているか否かを示す情報を通信装置１に送信する。
以下、原理図の動作について説明する。通信装置１は、ユーザからユーザ登録に必要な情報の入力を受け付ける。通信装置１は、受信中の放送情報内に含まれるコンテンツの関連情報を提供する外部装置２に対してユーザ登録を要求するためにユーザ個人情報を送信する。記憶手段１ｂは、外部装置２に送信したユーザ個人情報を記憶媒体１ｃに記憶する。すなわち、ユーザが外部装置２にユーザ登録すると、記憶媒体１ｃにユーザ個人情報が記憶される。
検出手段１ｄは、外部装置２に対しアクセス要求をするとき、外部装置２に送信したユーザ個人情報が記憶媒体１ｃに記憶されているか否かを検出する。送信選択手段１ｅは、検出手段１ｄによる検出結果に応じて、コンテンツの関連情報を要求する関連情報要求情報、および外部装置２がコンテンツの関連情報を提供するサービスを実施しているか否かを示す情報を要求する実施有無要求情報のうちいずれか一方を選択的に送信する。
このように、ユーザ登録をしたときに記憶媒体１ｃにユーザ個人情報を記憶するようにし、ユーザがユーザ登録をしているか否かを、記憶媒体１ｃにユーザ個人情報が記憶されているか否かを検出することによって判断する。そして、検出結果に応じて、コンテンツの関連情報を要求する関連情報要求情報、および外部装置が上記コンテンツの関連情報を提供するサービスを実施しているか否かを示す情報を要求する実施有無要求情報のうちいずれか一方を選択的に送信する。よって、ユーザがユーザ登録をしていなければ、外部装置２への実施有無要求情報の送信によりコンテンツの関連情報を提供するサービスを実施しているか否かの旨の情報を受信し、これに基づいて入会案内を表示することができるようになり、ユーザは提供されているコンテンツの関連情報を受けることが可能となる。
（２）第１の実施の形態
（２−１）ネットワークシステムの構成
次に、本発明の第１の実施の形態を図面を参照して詳細に説明する。以下、楽曲または楽曲集合の情報を二次記憶装置に保存する処理を、クリップと呼ぶこととする。また、クリップによって保存された情報を、クリップ情報と呼ぶこととする。
図２は、本発明の第１の実施の形態に係るネットワークシステムを示す図である。端末装置１０は、ネットワーク３０を介して各種サーバに接続されている。ネットワーク３０は、例えば、インターネットである。サーバとしては、ＣＤタイトル情報提供サーバ３１、放送局サーバ３２、音楽配信サーバ３３、ＣＤショップサーバ３４などがある。
ＣＤタイトル情報提供サーバ３１は、市販されているＣＤに収録されている楽曲の関連情報の配信サービスを行う。放送局サーバ３２は、ＦＭ放送やテレビ（ＴＶ）放送等の放送局が管理するサーバであり、放送する楽曲の関連情報の提供サービスを行う。なお、放送局サーバ３２により提供される関連情報の提供機能は、大別して次の２つに分かれる。第１の機能は、現在放送中のナウオンエアーを提供する機能である。第２の機能は、端末装置１０から要求に応じて、既に放送した楽曲の関連情報（ＯｎＡｉｒＬｉｓｔ：オンエアーリスト）を提供する機能である。例えば、放送局サーバ３２は、指定された番組内で放送した楽曲の関連情報を提供したり、指定された時間帯内に放送した楽曲の関連情報を提供したりする。
音楽配信サーバ３３は、楽曲のディジタルデータ（楽曲データ）を配信するサービスを行うサーバである。例えば、音楽配信サーバ３３は、楽曲の購入手続きを行ったユーザの端末装置１０に対してのみ、楽曲データを提供する。また、音楽配信サーバ３３は、配信する楽曲の関連情報を提供することができる。
ＣＤショップサーバ３４は、ＣＤの通信販売のための注文受け付け等を行うサーバである。ＣＤショップサーバ３４は、試聴用の音声データ等の配信サービスや、販売しているＣＤに収録された楽曲の関連情報の提供サービスも行う。
このように、複数のサーバが、ネットワーク３０上の楽曲または楽曲集合に関する情報の提供サービスを行っている。すなわち、各サーバが、ネットワーク３０上の楽曲または楽曲集合のソースとして機能している。
なお、音楽配信サーバ３３とＣＤショップサーバ３４は、楽曲購入可能サーバであり、楽曲の音声データや楽曲の集合の音声データをオンラインで販売する機能を備えている。ユーザが端末装置１０を操作して楽曲購入可能サーバにアクセスすれば、ネットワーク３０を介して実際に楽曲や楽曲の集合を購入できる。端末装置１０のユーザは、音楽配信サーバ３３に対して購入手続きを行うことで、音楽配信サーバ３３から楽曲データをダウンロードできる。また、端末装置１０のユーザは、ＣＤショップサーバ３４に対して購入手続きを行うことで、自宅にＣＤを宅配してもらうことが可能となる。
端末装置１０は、ＣＤ２９ａ、ＭＤ（Ｍｉｎｉ  Ｄｉｓｃ）２９ｂ、ハードディスクドライブ（ＨＤＤ）２１等の記録媒体に、ローカル上の楽曲または楽曲の集合のソースを保持している。これらのソースは端末装置１０の種類、目的により異なる。
なお、図２に示したローカル上の楽曲または楽曲の集合のソースは一例である。すなわち、端末装置１０のローカルに存在する記録媒体であれば、楽曲または楽曲集合を記録することで、ローカル上の楽曲または楽曲の集合のソースとして機能させることができる。
また、端末装置１０は、クリップした関連情報を記憶するクリップ情報記憶装置２１ａを備えている。クリップ情報記憶装置２１ａは、端末装置１０の二次記憶装置である。例えば、ＨＤＤ２１等の記憶領域の一部を、クリップ情報記憶装置２１ａとして機能させることができる。なお、端末装置１０は、クリップを楽曲に対しても、楽曲の集合に対しても行うことができる。これにより、気になる楽曲が多数含まれたＦＭ番組、ＣＤアルバム等については、まるごとクリップすることで、１回のクリップ動作で、気になる楽曲群の付加情報を記録することができる。
端末装置１０は、ユーザが視聴しているラジオ放送の周波数と視聴している地域とにより、視聴しているラジオ放送局のコールサインを割り出す。また、端末装置１０は、視聴者が総合サービスサーバ３５を管理するプロバイダと契約（ユーザ登録）しているか否かを判断する。端末装置１０は、ラジオ放送の周波数と視聴地域に対応するコールサインのデータを記憶しており、このデータを参照することにより、ユーザが視聴しているラジオ放送局のコールサインを割り出す。また、端末装置１０は、ユーザがユーザ登録したとき、ユーザ登録した情報の一部を記憶し、この情報を参照することにより、ユーザが契約しているか否かを判断する。
端末装置１０は、視聴者がユーザ登録していると判断した場合は、割り出したコールサインと、そのコールサインのラジオ放送局が提供しているナウオンエアーを送信するよう要求する要求信号とを総合サービスサーバ３５に送信する。視聴者がユーザ登録していないと判断した場合は、割り出したコールサインと、そのコールサインのラジオ放送局がナウオンエアーを提供しているか否かの情報を送信するよう要求する要求信号とを総合サービスサーバ３５に送信する。
総合サービスサーバ３５は、各種サーバが提供しているサービスを統合し、端末装置１０に配信する。端末装置１０のユーザは、例えば、総合サービスサーバ３５を管理するプロバイダと契約すると、総合サービスサーバ３５から各種サーバが提供しているコンテンツの配信を受けることができる。具体的には、総合サービスサーバ３５は、ユーザが要求するコンテンツを配信しているサーバにアクセスすることができるチケットを、ユーザが使用する端末装置１０に送信する。端末装置１０は、チケットを各種サーバに送信してコンテンツを受信する。各種サーバは、端末装置１０から適当なチケットが送信されることによって、ユーザが総合サービスサーバ３５により認証された者であることを認識し、端末装置１０にコンテンツを配信する。
また、総合サービスサーバ３５は、端末装置１０からコールサインとナウオンエアーを送信するよう要求する要求信号とをネットワーク３０を介して受信する。総合サービスサーバ３５は、受信した要求信号に応じ、受信したコールサインからユーザが視聴しているラジオ放送局を特定する。総合サービスサーバ３５は、特定したラジオ放送局のサーバにアクセスしナウオンエアーを受信することができるチケットを、ネットワーク３０を介して端末装置１０に送信する。
また、総合サービスサーバ３５は、端末装置１０からコールサインとナウオンエアーを提供しているか否かの情報を送信するよう要求する要求信号とをネットワーク３０を介して受信する。総合サービスサーバ３５は、受信した要求信号に応じ、受信したコールサインからユーザが視聴しているラジオ放送局を特定し、特定したラジオ放送局がナウオンエアーを提供しているか否かを判断する。総合サービスサーバ３５は、判断した結果を、ネットワーク３０を介して端末装置１０に送信する。
端末装置１０は、総合サービスサーバ３５からチケットを受信した場合、受信したチケットに基づいてサーバにアクセスし、ナウオンエアーを受信する。端末装置１０は、総合サービスサーバ３５から現在視聴しているラジオ放送局がナウオンエアーを提供しているラジオ放送局であるとの結果を受信した場合、プロバイダへの入会案内を表示装置に表示する。現在視聴しているラジオ放送局が、ナウオンエアーを提供していないラジオ放送局であるとの結果を受信した場合、プロバイダへの入会案内を表示装置に表示しない。
このように、視聴者がプロバイダと契約していない場合において視聴者がラジオ放送を視聴したとき、ラジオ放送局がナウオンエアーを提供しているか否かを判断して、入会案内をすることにより、視聴者に希望する番組のナウオンエアーを提供することができる。
（２−２）端末装置の構成
ところで、本実施の形態における端末装置１０は、楽曲の再生機能を有するオーディオ機器としての機能を兼ね備えている。図３は、端末装置の外観を示す図である。図３に示すように、本実施の形態に係る端末装置１０は、一般的なシステムコンポと同様の外観をしている。端末装置１０は、装置本体１０ａ、スピーカ２５ａ，２５ｂ、およびリモートコントローラ４０で構成される。装置本体１０ａには、ＣＤの再生機能、ＭＤの録音再生機能、およびＦＭ放送やＴＶ放送の受信機能を備えている。装置本体１０ａで生成した音声信号がスピーカ２５ａ，２５ｂに送られることで、スピーカ２５ａ，２５ｂから音が出力される。
また、装置本体１０ａには、表示装置１７が設けられている。表示装置１７には、再生中の楽曲の楽曲情報や、クリップによって保存されたクリップ情報等が表示される。リモートコントローラ４０は、装置本体１０ａを遠隔操作するための入力装置である。リモートコントローラ４０には複数の操作キーが設けられている。ユーザによって操作キーが押されると、赤外線等の無線の通信手段により、押された操作キーに応じた信号がリモートコントローラ４０から装置本体１０ａに送信される。
操作キーとしては、方向キー４１ａ〜４１ｄ，決定キー４２、ファンクション選択キー４３ａ〜４３ｃ、ツールキー４４、戻るキー４５等がある。方向キー４１ａ〜４１ｄは、例えば、表示装置１７に表示されたカーソルや、フォーカスが当てられる場所を移動させるために使用される。４つの方向キー４１ａ〜４１ｄは、それぞれ上、下、左、右それぞれの方向に対応しており、押された方向キーに対応する方向にカーソル等が移動する。
決定キー４２は、例えば、表示装置１７に表示された内容を確定するために使用される。ファンクション選択キー４３ａ〜４３ｃは、機能の選択に使用される。例えば、３つのファンクション選択キー４３ａ〜４３ｃは、それぞれ付加機能、チューナ機能、ローカルコンテンツ管理機能に対応付けられている。そして、ファンクション選択キーが押されると、装置本体１０ａは、押されたファンクション選択キーに対応する機能の動作モードになる。
ツールキー４４は、表示装置１７上にツールメニューを表示させるためのボタンである。ツールメニュー内には、表示装置１７に表示されている内容に応じたコマンドが表示される。ユーザが方向キー４１ａ〜４１ｄを操作して任意のコマンドを選択し、さらに決定キー４２を押すことで、選択されたコマンドに応じた処理が装置本体１０ａ内で実行される。
戻るキー４５は、表示装置１７の表示内容を、直前の状態に戻すためのボタンである。なお、リモートコントローラ４０には、図３に示したもの以外にも様々な操作キーを設けることができる。例えば、音量調節キー、ＣＤの再生キー、停止キーなどである。
次に、端末装置１０の内部構成を説明する。図４は、端末装置のハードウェア構成を示すブロックである。図４に示すような端末装置１０により、楽曲等の様々なソースを管理、記録、再生が可能となる。
ＣＰＵ１１は、起動されたプログラムに基づいて端末装置１０の全体の制御、演算処理を行う。例えば、ネットワーク３０を介した通信動作、ユーザに対する入出力動作、メディアからのコンテンツ再生やクリップ、ＨＤＤ２１へのコンテンツ記憶やそのための管理、クリップ情報等に基づくネットワーク３０を介した情報検索などを行う。なお、本実施の形態の端末装置１０が対応して記録再生可能なコンテンツデータとしては、オーディオのコンテンツデータや動画のコンテンツデータである。ＣＰＵ１１はバス１２を介して各回路部との間で制御信号やデータのやりとりを行う。
ＲＯＭ（Ｒｅａｄ  Ｏｎｌｙ  Ｍｅｍｏｒｙ）１３は、ＣＰＵ１１が実行すべき動作プログラム、プログラムローダーや、各種演算係数、プログラムで用いるパラメータ等が記憶される。また、ＲＡＭ（Ｒａｎｄｏｍ  Ａｃｃｅｓｓ  Ｍｅｍｏｒｙ）２０には、ＣＰＵ１１が実行すべきプログラムが展開される。また、ＣＰＵ１１が各種処理を実行する際において必要となるデータ領域、タスク領域としても用いられる。また、ＲＯＭ１３には、周波数と視聴地域に対応した各放送局のコールサインが格納されている。なお、この情報は、ＨＤＤ２１に格納されていてもよい。
操作入力部１５は、端末装置１０の筐体に設けられた操作キーやジョグダイヤル、タッチパネルなどの各種操作子などを有する。なお、ＧＵＩ（Ｇｒａｐｈ−ｉｃａｌ  Ｕｓｅｒ  Ｉｎｔｅｒｆａｃｅ）操作のためのキーボードやマウスが操作入力部１５として設けられてもよい。操作入力部１５で入力された情報は入力処理部１４において所定の処理が施され、ＣＰＵ１１に対して操作コマンドとして伝送される。ＣＰＵ１１は入力された操作コマンドに応答した機器としての動作が得られるように、所要の演算や制御を行う。
表示装置１７としては、例えば、液晶ディスプレイなどの表示デバイスが接続され、各種情報表示が行われる。ＣＰＵ１１が各種動作状態や入力状態、通信状態に応じて表示情報を表示処理部１６に供給すると、表示処理部１６は供給された表示データに基づいて表示装置１７に表示動作を実行させる。例えば、表示装置１７には、サーバ等から配信された関連情報の内容や、クリップ情報の内容が表示される。また、ネットワーク３０を介した楽曲の検索が行われた場合、検索結果が表示装置１７に表示される。
メディアドライブ１９ａ，１９ｂは、可搬型の記録媒体に記録された楽曲等のコンテンツを記録、再生（記録媒体によって再生のみの場合もある）することができるドライブである。なお、メディアドライブ１９ａ，１９ｂそれぞれが記録、または再生可能な記録媒体の種類は、１種類とは限らない。すなわち、複数の種類の記録媒体に対して記録、再生を行うことも可能である。例えば、メディアドライブ１９ａがＣＤ、ＤＶＤ（Ｄｉｇｉｔａｌ  Ｖｅｒｓａｔｉｌｅ  Ｄｉｓｃ）の再生を行い、メディアドライブ１９ｂがＭＤの記録再生を行う。
なお、楽曲等のコンテンツを記録する可搬型の記録媒体としては、ＣＤ、ＤＶＤ等の光学的な記録媒体に限定されるべきものではない。例えば、フラッシュメモリなどの半導体メモリにより構成された記録媒体にコンテンツを格納することもできる。その場合、フラッシュメモリのリーダライタがバス１２に接続される。
ユーザは、メディアドライブ１９ａ，１９ｂに、任意のコンテンツが記録された記録媒体（ＣＤ，ＤＶＤ，ＭＤなど）を挿入し、リモートコントローラ４０の所定の操作を行うことで、楽曲等を鑑賞することができる。例えば、ユーザがリモートコントローラ４０を操作し、メディアドライブ１９ａによる再生指示を行うと、ＣＰＵ１１はメディアドライブ１９ａに対してコンテンツの再生を指示する。これに応じて、メディアドライブ１９ａは、装填されている記録媒体から、指定されたコンテンツにアクセスして読み出しを実行する。
このようにして読み出されたコンテンツが、オーディオコンテンツである場合には、必要に応じてＣＰＵ１１の処理によってデコード処理等が施された後、オーディオデータ処理部２４に転送される。オーディオデータ処理部２４においては、イコライジング等の音場処理や音量調整、Ｄ／Ａ変換、増幅等の処理が施され、スピーカ部２５から出力される。なお、スピーカ部２５は、図４に示したような複数のスピーカ２５ａ，２５ｂで構成され、ステレオで音声を出力することができる。
また、メディアドライブ１９ａ，１９ｂにて再生されたコンテンツは、ＣＰＵ１１の制御によって、ＨＤＤ２１にオーディオデータファイルとして蓄積することもできる。なお、このオーディオデータファイルの形式としては、ＣＤフォーマットにおけるサンプリング周波数４４．１ＫＨｚで１６ビット量子化のデジタルオーディオデータとしてもよい。ＨＤＤ２１の容量を節約するために、所定方式にしたがって圧縮処理が施された形式の圧縮オーディオデータとされてもよい。また、圧縮方式としても限定されるものではないが、ＡＴＲＡＣ（Ａｄ−ｖａｎｃｅｄ  ＴＲａｎｓｆｏｒｍ  Ａｃｏｕｓｔｉｃ  Ｃｏｄｉｎｇ、商標）方式やＭＰ３（ＭＰＥＧ  Ａｕｄｉｏ  Ｌａｙｅｒ−３）方式などを採用することができる。
チューナ２７は、例えば、ＡＭ・ＦＭラジオチューナとされ、ＣＰＵ１１の制御に基づいてアンテナ２６で受信された放送信号を復調する。もちろんテレビチューナや衛星放送チューナ、デジタル放送チューナなどとしてのチューナでもよい。復調された放送音声信号は、オーディオデータ処理部２４において所要の処理が施され、スピーカ部２５から放送音声として出力される。
通信処理部２２は、ＣＰＵ１１の制御に基づいて送信データのエンコード処理、受信データのデコード処理を行う。ネットワークインタフェース２３は、通信処理部２２でエンコードされた送信データを、ネットワーク３０を介して所定の外部ネットワーク対応機器に送信する。また、ネットワークインタフェース２３は、ネットワーク３０を介して外部ネットワーク対応機器から送信されてきた信号を通信処理部２２に受け渡す。通信処理部２２は受信した情報をＣＰＵ１１に転送する。ネットワーク３０を介して受信する情報には、例えば、ＦＭ等で放送中の番組の関連情報や、ＣＤ等のタイトルに含まれる楽曲の情報がある。
赤外線通信部２８は、リモートコントローラ４０との間で、赤外線等の無線の通信手段で通信を行う。そして、赤外線通信部２８は、リモートコントローラ４０から送られた信号に所定の処理を施し、ＣＰＵ１１に対して操作コマンドとして伝送する。ＣＰＵ１１は入力された操作コマンドに応答した機器としての動作が得られるように、所要の演算や制御を行う。
なお、端末装置１０の構成は、この図４の構成に限られるものではなく、更に多様に考えられる。例えば、ＵＳＢ（Ｕｎｉｖｅｒｓａｌ  Ｓｅｒｉａｌ  Ｂｕｓ）、ＩＥＥＥ１３９４、Ｂｌｕｅｔｏｏｔｈなどの通信方式による周辺機器とのインタフェースが設けられるようにしてもよい。そして、上記ネットワークインタフェース２３によりネットワーク３０を介してダウンロードしたオーディオのコンテンツや、上記ＵＳＢ、ＩＥＥＥ１３９４などのインタフェースを経由して転送されてきたオーディオのコンテンツについても、ＨＤＤ２１に対して記憶させることができる。またマイクロホンや外部のヘッドホンの接続に用いられる端子や、ＤＶＤ再生時に対応するビデオ出力端子、ライン接続端子、光デジタル接続端子等が設けられてもよい。また、ＰＣＭＣＩＡスロット、メモリカードスロットなどが形成され、外部の情報処理装置やオーディオ機器とデータのやりとりが可能とされてもよい。
次に、本実施の形態のシステムにおけるプログラムモジュールの構成について説明する。なお、プログラムモジュールは端末装置１０に実行させる処理を記述した情報であり、プログラムモジュールに基づいて端末装置１０が所定の機能を実現することができる。以下の説明では、プログラムモジュールを実行することで実現される機能を、そのプログラムモジュールの名称で呼ぶこととする。
図５は、端末装置のプログラムモジュール構成を示す図である。図５に示すように端末装置１０のプログラムモジュールはＯＳ上で動作するように構成されている。端末装置１０は、各プログラムモジュールの機能によって、ＣＤタイトル情報提供サーバ３１、放送局サーバ３２、音楽配信サーバ３３、ＣＤの物販を行うＣＤショップサーバ３４、総合サービスサーバ３５、インターネットラジオサーバ３６、その他の各種サーバと通信を行うことができる。
ＨＴＴＰ（Ｈｙｐｅｒ  Ｔｅｘｔ  Ｔｒａｎｓｆｅｒ  Ｐｒｏｔｏｃｏｌ）メッセージプログラム１１１は、ＣＤタイトル情報提供サーバ３１、放送局サーバ３２、ＣＤショップサーバ３４、および総合サービスサーバ３５等の各種サーバとの間のやりとりをＨＴＴＰ通信で行うものである。コミュニケータプログラム１１２は、総合サービスサーバ３５等と各種通信を行う通信モジュールである。
コミュニケータプログラム１１２の上位（ユーザインタフェースに近い機能）には、コンテンツのコーデックを解釈して再生するコンテンツ再生モジュール１１３、著作権保護に関する情報を取り扱う著作権保護情報管理モジュール１１４が位置する。コンテンツ再生モジュール１１３の上位には、インターネットラジオの選局および再生を行うインターネットラジオ選局再生モジュール１１８が設けられている。著作権保護情報管理モジュール１１４の上位には、楽曲購入および試聴曲の再生を司る楽曲購入再生モジュール１１９が設けられている。
それらインターネットラジオ選局再生モジュール１１８、楽曲購入再生モジュール１１９の上位にはＸＭＬ（ｅＸｔｅｎｓｉｂｌｅ  Ｍａｒｋｕｐ  Ｌａｎ−ｇｕａｇｅ）ブラウザ１５１が設けられている。ＸＭＬブラウザ１５１は、各種サーバから送られるＸＭＬファイルの内容を解釈し、表示装置１７に対して画面表示を行う。また、端末装置１０が総合サービス利用モードのときにユーザが端末装置１０に対して行った入力内容はＸＭＬブラウザ１５１で解釈される。そして、ＸＭＬブラウザ１５１から他のモジュールへ、入力内容に応じた処理要求等が渡される。例えば、ＸＭＬブラウザ１５１を介してユーザに選択された楽曲は楽曲購入再生モジュール１１９で購入され、ハードディスクコンテンツコントローラ１１７を介してＨＤＤ２１に書き込まれる。
コミュニケータプログラム１１２には、ライブラリ１３０の認証ライブラリ１３１が接続されている。認証ライブラリ１３１は、総合サービスサーバ３５やその他の各種サーバの認証処理を行う。
さらにコミュニケータプログラム１１２の上位には、データベースアクセスモジュール１１５、コンテンツデータアクセスモジュール１１６およびハードディスクコンテンツコントローラ１１７が設けられている。データベースアクセスモジュール１１５は、ＨＤＤ２１に構築された各種データベースにアクセスする。コンテンツデータアクセスモジュール１１６はＨＤＤ２１に格納されたコンテンツにアクセスする。ハードディスクコンテンツコントローラ１１７はＨＤＤ２１に格納されたコンテンツを管理する。
ハードディスクコンテンツコントローラ１１７の上位には、関連情報表示モジュール１２０、チューナ選局再生／録音モジュール１２１、および楽曲購入再生モジュール１１９が設けられている。関連情報表示モジュール１２０は、ラジオ局が放送した楽曲のタイトルおよびアーティスト名を表示装置１７に表示する。チューナ選局再生／録音モジュール１２１は、ラジオ局を選局したり、当該ラジオ局から受信した楽曲のコンテンツをＨＤＤ２１に録音したりする。
例えば、オーディオユーザインタフェース（ＡｕｄｉｏＵＩ）１５２を介して選局されたラジオ局から受信した楽曲は、コンテンツデータアクセスモジュール１１６を介してＨＤＤ２１へ書き込まれる。
関連情報表示モジュール１２０は、チューナ選局再生／録音モジュール１２１によって現在ラジオ局が放送している楽曲のタイトルやアーティスト名を関連情報としてＣＤタイトル情報提供サーバ３１、放送局サーバ３２等からＨＴＴＰメッセージプログラム１１１経由で受信し、これをオーディオユーザインタフェース１５２を介して表示装置１７に表示する。
なお、オーディオユーザインタフェース１５２を介して表示装置１７に表示した関連情報は、ライブラリ１３０のクリップライブラリ１３２に一時的に記憶させることができる。また、関連情報は、ユーザからの指示に従って最終的にはデータベースアクセスモジュール１１５を介してＨＤＤ２１へ記憶させることもできる。
さらに端末装置１０のプログラムモジュールとしては、ＣＤを再生するためのＣＤ再生モジュール１４１と、ＨＤＤ２１を再生するためのＨＤＤ再生モジュール１４２とが含まれており、再生結果をオーディオデータ処理部２４およびスピーカ部２５を介して出力する。
このような構成の端末装置１０において、サーバから関連情報を取得し、その関連情報をクリップすることができる。なお、クリップと同時に、楽曲の検索や購入処理を行うこともできる。
（２−３）総合サービスサーバの構成
次に、総合サービスサーバ３５の内部構成を説明する。
図６は、総合サービスサーバ３５のハードウェアブロック図である。図に示す総合サービスサーバ３５は、ＣＰＵ３５ａによって装置全体が制御されている。ＣＰＵ３５ａには、バス３５ｇを介してＲＡＭ３５ｂ、ハードディスクドライブ３５ｃ、グラフィック処理装置３５ｄ、入力インタフェース３５ｅ、および通信インタフェース３５ｆが接続されている。
ＲＡＭ３５ｂには、ＣＰＵ３５ａに実行させるＯＳのプログラムや端末装置１０に各種サービスを提供するためのアプリケーションプログラムの少なくとも一部が一時的に格納される。また、ＲＡＭ３５ｂには、ＣＰＵ３５ａによる処理に必要な各種データが保存される。ＨＤＤ３５ｃには、ＯＳや情報を提供するアプリケーションプログラムなどが格納される。
グラフィック処理装置３５ｄには、モニタ３５ｈが接続されている。グラフィック処理装置３５ｄは、ＣＰＵ３５ａからの命令に従って、画像をモニタ３５ｈの表示画面に表示させる。入力インタフェース３５ｅには、キーボード３５ｉと、マウス３５ｊとが接続されている。入力インタフェース３５ｅは、キーボード３５ｉやマウス３５ｊから送られてくる信号を、バス３５ｇを介してＣＰＵ３５ａに送信する。
通信インタフェース３５ｆは、ネットワーク３０に接続されている。通信インタフェース３５ｆは、ネットワーク３０を介して端末装置１０、各種サーバと通信を行う。以上のようなハードウェア構成によって、本実施の形態の処理機能を実現することができる。なお、図６には、総合サービスサーバ３５のハードウェア構成を代表的に説明したが、他のサーバも同様のハードウェア構成で実現することができる。
（２−４）ユーザ登録処理
次に、総合サービスサーバ３５へのユーザ登録について説明する。ユーザは、各種サーバのサービスを受けるには、総合サービスサーバ３５に対しユーザ登録をしなければならない。ユーザは、端末装置１０よりユーザ登録に必要な顧客情報を入力して総合サービスサーバ３５に送信し、ユーザＩＤ、パスワードを取得する。このとき、端末装置１０に端末ＩＤを入力しなければならい。端末ＩＤは、ユーザが複数の端末装置を所有している場合に、各端末装置を識別する識別子で、ユーザによって任意に入力される。端末ＩＤは、ＣＰＵ１１によって総合サービスサーバ３５に送信され登録されると共にＲＯＭ１３またはＨＤＤ２１に記憶される。
端末装置１０から総合サービスサーバ３５へのユーザ登録の処理の流れを、シーケンス図を用いて説明する。図７は、ユーザ登録の処理の流れを示したシーケンス図である。
ステップＳ１において、端末装置１０のＣＰＵ１１は、ユーザの操作によって入力されたユーザＩＤおよびパスワードを登録するために、当該ユーザＩＤおよびパスワードを登録情報の一部として総合サービスサーバ３５に送信する。なお、端末装置１０と総合サービスサーバ３５との通信には、全てＳＳＬ（Ｓｅ−ｃｕｒｅ  Ｓｏｃｋｅｔ  Ｌａｙｅｒ）を使用しており、これによって第３者への情報の漏洩を防止するようになされている。
ステップＳ１１において、総合サービスサーバ３５のＣＰＵ３５ａは、登録情報の一部としてのユーザＩＤおよびパスワードを受信する。ステップＳ１２において、ＣＰＵ３５ａは、受信したユーザＩＤおよびパスワードを、これら、情報が管理されたＨＤＤ３５ｃの管理テーブルと比較し、重複するユーザＩＤが存在しないことを確認して当該ユーザＩＤを登録し、その登録が完了したことをユーザ登録完了情報として端末装置１０に送信する。なお、ユーザＩＤの重複があった場合、ＣＰＵ３５ａは、他のユーザＩＤの入力を促すメッセージを端末装置１０に送信し、ユーザに入力させた他のユーザＩＤおよびパスワードを端末装置１０から送信させる。
ステップＳ２において、端末装置１０のＣＰＵ１１は、受信したユーザ登録完了情報に応じてユーザＩＤの登録が完了したことを表示装置１７に表示する。ステップＳ３において、ＣＰＵ１１は、ユーザによる所定の登録操作に基づいて端末ＩＤおよび公開設定を端末装置１０のＨＤＤ２１に記憶する。なお、公開設定とは、他のユーザに対して当該端末装置１０の存在を公開するか否かの設定をすることをいう。
ステップＳ４において、ＣＰＵ１１は、端末ＩＤおよび公開設定を登録情報の残りとして総合サービスサーバ３５に送信する。ステップＳ１３において、総合サービスサーバ３５のＣＰＵ３５ａは、端末装置１０から送信された登録情報の残りとしての端末ＩＤおよび公開設定を受信する。
ステップＳ１４において、ＣＰＵ３５ａは、ユーザＩＤと関連付けて端末ＩＤおよび公開設定を管理テーブルに登録する。ステップＳ１５において、ＣＰＵ３５ａは、端末ＩＤおよび公開設定の登録が完了したことを表す登録完了情報を端末装置１０に送信し、総合サービスサーバ３５側のユーザ登録における処理を終了する。
ステップＳ５において、端末装置１０のＣＰＵ１１は、総合サービスサーバ３５から登録完了情報を受信する。ステップＳ６において、ＣＰＵ１１は、ユーザ登録が完了したことを表示装置１７に表示してユーザに通知し、処理を終了する。
ところで、端末装置１０は、契約したユーザ１人にしか利用できない。契約したユーザが端末装置１０を使用することを宣言するために、サーバにアクセスするときは、ユーザＩＤ、パスワード、およびＲＯＭ１３またはＨＤＤ２１に記憶した端末ＩＤを入力する必要がある。
１度入力したユーザＩＤ、パスワードは、ＣＰＵ１１によってＲＡＭ２０に格納される。よって、サーバに再度アクセスする必要が生じた場合、例えば、電源が切られたなど、消去されない限りＲＡＭ２０に記憶されたユーザＩＤ、パスワードが再利用され、入力する手間が省かれる。端末ＩＤは、ＲＯＭ１３またはＨＤＤ２１に記憶されているので消去されない。
例えば、ユーザがナウオンエアーのサービスを受けようと、総合サービスサーバ３５にユーザ登録するとする。ＣＰＵ１１は、ユーザからユーザ登録に必要なユーザＩＤ、パスワード、および端末ＩＤを受け付け、総合サービスサーバ３５に送信する。このとき、ＣＰＵ１１は、受け付けた端末ＩＤをＲＯＭ１３またはＨＤＤ２１に記憶する。また、受け付けたユーザＩＤ、パスワードをＲＡＭ２０に記憶する。
なお、ユーザ（端末装置１０）は、総合サービスサーバ３５によってユーザ認証されるとチケットが発行される。これによって、端末装置１０は、実際にサービス提供をする各種サーバにアクセスすることができる。各種サーバは、例えば、チケットに含まれる認証完了時刻などを参照することにより、端末装置１０のユーザが正規ユーザとして最近（例えば、過去１分以内）認証されたか否かを判断し、認証されていると判断した場合は、端末装置１０からの要求に応じたサービスを行う。
（２−５）入会案内の表示とラジオ放送のナウオンエアーの受信
次に、入会案内の表示とラジオ放送のナウオンエアーの受信について説明する。例えば、ユーザによってリモートコントローラ４０からラジオの視聴が選択されると、ＣＰＵ１１は、リモートコントローラ４０の指示に従いチューナ２７を合わせる。このとき、ＣＰＵ１１は、チューナ２７に合わせた周波数を取得する。ＣＰＵ１１は、取得した周波数と、例えば、端末装置１０の購入後、周波数のプリセット時に設定入力された視聴地域とにより、ユーザが視聴しているラジオ放送局のコールサインを取得する。ＣＰＵ１１は、ＲＯＭ１３に格納されている周波数と視聴地域に対応するコールサインを参照して、ユーザが視聴している放送局のコールサインを取得する。コールサインを取得するのに周波数のみならず視聴地域を要するのは、ラジオ放送局は地域が異なっている場合に、同じ周波数を使用している場合があるからである。
なお、視聴地域は、郵便番号を入力させることによっても特定することができる。例えば、ＲＯＭ１３またはＨＤＤ２１に郵便番号に対応する地域を記憶しておく。そして、ユーザから入力された郵便番号により、ユーザの視聴地域を特定する。
ＣＰＵ１１は、ＲＯＭ１３またはＨＤＤ２１より端末ＩＤを検索する。ＣＰＵ１１は、端末ＩＤを検索できた場合、すなわち、ユーザが使用している端末装置１０で総合サービスサーバ３５にユーザ登録をしている場合、ナウオンエアーを要求する要求信号、取得したコールサイン、ユーザＩＤ、パスワード、および端末ＩＤを、ネットワーク３０を介して総合サービスサーバ３５に送信する。
総合サービスサーバ３５のＣＰＵ３５ａは、要求信号を受信することにより、共に受信したコールサインに基づいて、ユーザが視聴しているラジオ放送局のサーバを特定する。ＣＰＵ３５ａは、特定したラジオ放送局のサーバにアクセスすることができるチケットを端末装置１０に送信する。
端末装置１０のＣＰＵ１１は、受信したチケットに基づいて、ナウオンエアーを提供するサーバにアクセスする。ナウオンエアーを提供するサーバは、チケットの認証を行い、要求されたナウオンエアーを端末装置１０に送信する。端末装置１０のＣＰＵ１１は、受信したナウオンエアーを表示装置１７に表示する。
ＣＰＵ１１は、端末ＩＤを検索できなかった場合、すなわち、ユーザが総合サービスサーバ３５にユーザ登録をしていない場合またはユーザ登録をしているが使用している端末装置１０で総合サービスサーバ３５にユーザ登録をしていない場合、取得したコールサインと、そのコールサインのラジオ放送局がナウオンエアーを提供しているか否かの情報を要求する要求信号とを総合サービスサーバ３５に送信する。
総合サービスサーバ３５は、要求信号を受信することにより、共に受信したコールサインに基づいて、ユーザが視聴しているラジオ放送局がナウオンエアーを提供しているか否かを判断する。総合サービスサーバ３５は、判断した結果を端末装置１０に送信する。
端末装置１０のＣＰＵ１１は、ユーザが視聴しているラジオ放送局がナウオンエアーを提供している旨を受信した場合、ユーザに総合サービスサーバ３５のプロバイダに入会することを勧める入会案内を表示装置１７に表示する。端末装置１０のＣＰＵ１１は、ユーザが視聴しているラジオ放送局がナウオンエアーを提供していない旨を受信した場合、入会案内を表示装置１７に表示しない。
次に、総合サービスサーバ３５側での動作について説明する。ＣＰＵ３５ａは、端末装置１０からコールサインとナウオンエアーを要求する要求信号とを受信した場合、すなわち、ユーザ登録をしているユーザからナウオンエアーを要求する要求信号を受信した場合、コールサインに対応したラジオ放送局のサーバのチケットを端末装置１０に送信する。
ＣＰＵ３５ａは、端末装置１０からコールサインとそのコールサインに対応したラジオ放送局がナウオンエアーを提供しているか否かを要求する要求信号を受信した場合、すなわち、ユーザ登録をしていないユーザからコールサインと要求信号を受信した場合、コールサインに応じたラジオ放送局がナウオンエアーを提供しているか否かを判断し、その判断結果を端末装置１０に送信する。ラジオ放送局がナウオンエアーを提供しているか否かの判断は、ＣＰＵ３５ａが、予めＨＤＤ３５ｃに記憶された各ラジオ放送局がナウオンエアーを提供しているか否かの情報を参照して行う。または、コールサインに対応したラジオ放送局のサーバにアクセスして判断をする。
なお、総合サービスサーバ３５は、ユーザが視聴しているラジオ放送局がナウオンエアーを提供していると判断した場合、ユーザ登録を促進するＷｅｂページのＵＲＬを端末装置１０に送信するようにしてもよい。
以上より、総合サービスサーバ３５は、端末装置１０から送信されるユーザのユーザ登録の状況に応じて、ナウオンエアーおよびナウオンエアーを提供しているかいないかの情報を端末装置１０に送信する。よって、端末装置１０は、総合サービスサーバ３５からの情報に応じて、表示装置１７に入会案内を表示することが可能となり、ユーザは、提供されているコンテンツの関連情報を受けることが可能となる。
次に、ユーザ登録の有無を端末装置１０が判断する場合のＦＭ放送のナウオンエアーの受信について、シーケンス図を用いて説明する。図８は、ユーザ登録の有無を端末装置が判断する場合のナウオンエアーの受信の流れを示したシーケンス図である。
まず、端末装置１０のＨＤＤ２１に端末ＩＤが記憶されていない場合、すなわち、ユーザがユーザ登録をしていない場合について説明する。ステップＳ２１において、端末装置１０のＣＰＵ１１は、ユーザが現在視聴しているＦＭ局のコールサインを取得する。ＣＰＵ１１は、取得したコールサインにより、対象（視聴している）ＦＭ局がナウオンエアーを提供しているか否かを総合サービスサーバ３５に問い合わせる。
ステップＳ２２において、総合サービスサーバ３５のＣＰＵ３５ａは、対象ＦＭ局がナウオンエアーを提供しているか否かを判断し、その結果を端末装置１０に送信する。端末装置１０のＣＰＵ１１は、総合サービスサーバ３５から対象ＦＭ局がナウオンエアーを提供しているか否かの判断結果を受信する。ＣＰＵ１１は、対象ＦＭ局がナウオンエアーを提供しているのであれば、表示装置１７に入会案内を表示し、ナウオンエアーを提供していないのであれば、表示装置１７に入会案内を表示しない。
次に、端末装置１０のＨＤＤ２１に端末ＩＤが記憶されている場合、すなわち、ユーザがユーザ登録をしている場合について説明する。ステップＳ２３において、端末装置１０のＣＰＵ１１は、ユーザが視聴しているＦＭ放送局のコールサインをＲＯＭ１３から取得する。ＣＰＵ１１は、総合サービスサーバ３５に対象ＦＭ局のナウオンエアーサービスの取得先ＵＲＬを問い合わせる。
ステップＳ２４において、総合サービスサーバ３５のＣＰＵ３５ａは、端末装置１０からのコールサインより、対象ＦＭ局のＵＲＬを取得し、チケットとともに端末装置１０に送信する。また、ＣＰＵ３５ａは、対象ＦＭ局がナウオンエアーを提供していない場合、その旨の情報を端末装置１０に送信する。
端末装置１０のＣＰＵ１１は、チケットとＵＲＬを受信すると、チケットを携えてＵＲＬにアクセスし、ナウオンエアーを受信する。ＣＰＵ１１は、受信したナウオンエアーを表示装置１７に表示する。ＣＰＵ１１は、ナウオンエアーを提供していない旨の情報を受信した場合、例えば、表示装置１７にナウオンエアーは、提供されていない旨の表示をする。
次に、ユーザ登録の有無を総合サービスサーバ３５が判断する場合のＦＭ放送のナウオンエアーの受信について、シーケンス図を用いて説明する。図９は、ユーザ登録の有無を総合サービスサーバが判断する場合のナウオンエアーの受信の流れを示したシーケンス図である。
ステップＳ３１において、端末装置１０のＣＰＵ１１は、ユーザが視聴しているＦＭ局のコールサインと、ＨＤＤ２１に記憶されている場合は端末ＩＤを送信する。また、ＣＰＵ１１は、対象ＦＭ局のナウオンエアー取得先ＵＲＬの要求信号を送信する。
総合サービスサーバ３５のＣＰＵ３５ａは、端末装置１０から端末ＩＤが送信されたか否かでユーザがユーザ登録されているか否かを判断する。ステップＳ３２において、ＣＰＵ３５ａは、ユーザがユーザ登録していないと判断した場合、対象ＦＭ局がナウオンエアーを提供しているか否かの情報を端末装置１０に送信する。
なお、端末装置１０のＣＰＵ１１は、対象ＦＭ局がナウオンエアーを提供しているのであれば、表示装置１７に入会案内を表示し、ナウオンエアーを提供していないのであれば、表示装置１７に入会案内を表示しない。
ステップＳ３３において、ＣＰＵ３５ａは、ユーザがユーザ登録していると判断した場合、ナウオンエアー取得先のＵＲＬをチケットとともに端末装置１０に送信する。また、対象ＦＭ局がナウオンエアーを提供していない場合は、ナウオンエアーを提供していない旨の情報を端末装置１０に送信する。
なお、端末装置１０のＣＰＵ１１は、チケットとＵＲＬを受信すると、チケットを携えてＵＲＬにアクセスし、ナウオンエアーを受信する。ＣＰＵ１１は、受信したナウオンエアーを表示装置１７に表示する。ＣＰＵ１１は、ナウオンエアーを提供していない旨の情報を受信した場合、例えば、表示装置１７にナウオンエアーは提供されていない旨の表示をする。
このように、端末装置１０は、ユーザがユーザ登録をしたとき、ＲＯＭ１３またはＨＤＤ２１に端末ＩＤを記憶するようにし、ユーザが端末装置１０においてユーザ登録をしているか否かを、ＲＯＭ１３またはＨＤＤ２１に端末ＩＤが記憶されているか否かを検出することによって判断する。そして、検出結果に応じて、ナウオンエアーを要求する要求信号、およびナウオンエアーを提供するサービスを実施しているか否かを示す情報を要求する要求信号のうちいずれか一方を選択的に総合サービスサーバ３５に送信する。総合サービスサーバ３５は、ユーザがユーザ登録をしていればナウオンエアーを端末装置１０に送信し、ユーザがユーザ登録をしていなければ、視聴している放送局がナウオンエアーを提供しているか否かの旨を示す情報を端末装置１０に送信する。端末装置１０は、ユーザがユーザ登録していない場合で、視聴している放送局がナウオンエアーを提供している場合は、表示装置１７に入会案内を表示し、提供していない場合は、表示装置１７に入会案内を表示しない。これにより端末装置１０は、ナウオンエアーを提供しているか否かの旨をユーザに通知することができる。かくしてユーザはユーザ登録していない場合には、端末装置１０に表示される入会案内を見て、入会の手続きを行うことにより、提供されるコンテンツの関連情報を受けることが可能となる。
ちなみに総合サービスサーバ３５が送信するナウオンエアーを提供しているか否かの旨を示す情報としては、提供している場合であれば、提供している旨を示すメッセージや音声等を用い、提供していない場合であれば、単なる空メッセージや、提供していない旨を示すメッセージや音声等を用いる。
なお、この第１の実施の形態においては、端末装置１０のＨＤＤ２１に端末ＩＤが記憶されていなければ、当該端末装置１０が、ナウオンエアーを提供するサービスを実施しているか否かを示す情報を要求する要求信号を総合サービスサーバ３５に送信するようにした場合について述べたが、本発明はこれに限らず、入会案内となる情報を予めＨＤＤ２１に記憶させておき、端末ＩＤが記憶されていない場合に、この入会案内となる情報を表示装置１７に表示するようにしてもよい。
ちなみに、この入会案内となる情報としては、入会勧誘メッセージや、入会勧誘音声等を用い、入会勧誘音声であれば端末装置１０のスピーカ２５から出力される。
（３）第２の実施の形態
次に、第２の実施の形態として、上述の端末装置１０により送信されるユーザ情報（ユーザＩＤ、パスワード、及び端末ＩＤ等）を、総合サービスサーバ３５と放送局サーバ３２とが認証することにより、シングルサインオンを実現したシステムの実施例を説明する。
なお、この第２の実施の形態では、端末ＩＤが端末装置１０に既に登録されている状態で、図８のステップＳ２３とステップＳ２４とを実行する例を説明するが、総合サービスサーバ３５と放送局サーバ３２とによる認証方法は、端末ＩＤが端末装置１０に登録されていない場合でも同様である。
また、この第２の実施の形態における図１０のクライアント端末１００２は上述の第１の実施の形態における図２の端末装置１０に対応し、図１１のポータルサーバ１００３は図２の総合サービスサーバ３５に対応し、図１２のラジオ放送情報配信サーバ１００６は図２の放送局サーバ３２に対応するものである。
（３−１）クライアント端末の機能回路ブロック構成
まずクライアント端末１００２の機能回路ブロックによるハードウェア構成を説明する。図１０に示すようにクライアント端末１００２は、その筐体表面やリモートコントローラ（図示せず）に設けられた各種操作ボタンでなる操作入力部１０２０がユーザによって操作されると、当該操作入力部１０２０でこれを認識し、当該操作に応じた操作入力信号を入力処理部１０２１に送出する。
入力処理部１０２１は、操作入力部１０２０から与えられる操作入力信号を特定の操作コマンドに変換しバス１０２２を介して制御部１０２３に送出する。
制御部１０２３は、バス１０２２を介して接続された各回路から与えられる操作コマンドや制御信号に基づいてこれら各回路の動作を制御する。
表示制御部１０２４は、バス１０２２を介して供給される映像データに対してディジタルアナログ変換処理を施し、その結果得られるアナログ映像信号を表示部１０２５に送出する。
表示部１０２５は、例えば液晶ディスプレイ等の表示デバイスであって、筐体表面に直接取り付けられている場合や外付けされている場合がある。
そして表示部１０２５は、制御部１０２３による処理結果や各種映像データが表示制御部１０２４を介してアナログ映像信号として供給されると、当該アナログ映像信号に基づく映像を表示する。
音声制御部１０２６は、バス１０２２を介して供給される音声データに対してディジタルアナログ変換処理を施し、その結果得られるアナログ音声信号をスピーカ１０２７に送出する。スピーカ１０２７は、音声制御部１０２６から供給されるアナログ音声信号に基づく音声を出力する。
外部記録媒体記録再生部１０２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
外部記録媒体記録再生部１０２８は、外部記録媒体からコンテンツデータとして映像データを読み出したとき、当該読み出した映像データをバス１０２２を介して表示制御部１０２４に供給する。
これにより表示制御部１０２４は、外部記録媒体記録再生部１０２８により外部記録媒体からコンテンツデータとして読み出された映像データをアナログ映像信号に変換して表示部１０２５に供給する。
また外部記録媒体記録再生部１０２８は、外部記録媒体からコンテンツデータとして音声データを読み出したとき、当該読み出した音声データをバス１０２２を介して音声制御部１０２６に供給する。
これにより音声制御部１０２６は、外部記録媒体記録再生部１０２８により外部記録媒体からコンテンツデータとして読み出された音声データをアナログ音声信号に変換してスピーカ１０２７に供給する。
さらに制御部１０２３は、外部記録媒体記録再生部１０２８により外部記録媒体から読み出されたコンテンツデータをバス１０２２を介してクライアント端末１００２内部の記憶媒体１０２９に送出し、その記憶媒体１０２９に対して当該コンテンツデータを記憶する（以下、このようにコンテンツデータを記憶媒体１０２９に記憶することをリッピングとも呼ぶ）ことができる。
そして制御部１０２３は、記憶媒体１０２９からコンテンツデータとしてイメージデータ又はビデオデータ等の映像データを読み出したときには、当該読み出した映像データをバス１０２２を介して表示制御部１０２４に供給する。
また制御部１０２３は、記憶媒体１０２９からコンテンツデータとしてオーディオデータ等の音声データを読み出したときには、当該読み出した音声データをバス１０２２を介して音声制御部１０２６に供給する。
これに加えて制御部１０２３は、記憶媒体１０２９から音楽データを読み出して外部記録媒体記録再生部１０２８に転送することにより当該外部記録媒体記録再生部１０２８により外部記録媒体に対しその音楽データを記録させることもできる。
放送信号受信部１０３０は、各ラジオ局から送信されるラジオ放送波を受信し、チューナ部１０３１に供給する。
チューナ部１０３１は、制御部１０２３の制御のもと、放送信号受信部１０３０を介して受信されたラジオ放送波の中から例えば操作入力部１０２０を介して指定されたラジオ局に対応する放送周波数のラジオ放送信号を抽出して所定の受信処理を施し、この結果得られる音声データをバス１０２２を介して音声制御部１０２６に送出する。
音声制御部１０２６は、チューナ部１０３１から与えられた音声データをアナログ音声信号に変換してスピーカ１０２７に送出することにより、当該スピーカ１０２７からラジオ局で放送されているラジオ番組の番組音声を出力させ、かくしてユーザに対しラジオ番組の番組音声を聴取させることができる。
また制御部１０２３は、チューナ部１０３１で得られた音声データを記憶媒体１０２９に送出して記憶することにより、ラジオ番組の番組音声を録音することもできる。
さらに制御部１０２３は、通信制御部１０３２及びネットワークインタフェース１０３３を順次介して所定のネットワークに接続し、当該ネットワーク上のポータルサーバ１００３やサービス提供サーバ（例えば後述のラジオ放送情報配信サーバ１００６）等にアクセスすることができ、これによりポータルサーバ１００３やサービス提供サーバ等との間で各種情報や各種データを送受信する。
エンコーダ／デコーダ部１０３４は、ネットワークからネットワークインタフェース１０３３及び通信制御部１０３２を順次介して受信された圧縮符号化されているコンテンツデータ、あるいは記憶媒体１０２９や外部記録媒体から読み出された圧縮符号化されているコンテンツデータを復号し表示制御部１０２４や音声制御部１０２６に送出する。
またエンコーダ／デコーダ部１０３４は、外部記録媒体から読み出された圧縮符号化されてはいないコンテンツデータや、チューナ部１０３１から与えられる音声データ等を圧縮符号化し、当該圧縮符号化したコンテンツデータを記憶媒体１０２９に送出する。
これによりエンコーダ／デコーダ部１０３４で圧縮符号化されたコンテンツデータは、制御部１０２３の制御のもと記憶媒体１０２９に記憶される。
著作権管理部１０３５は、ネットワークからネットワークインタフェース１０３３及び通信制御部１０３２を順次介してダウンロードされるコンテンツデータに対応する著作権管理情報や、外部記録媒体記録再生部１０２８により外部記録媒体から読み出されたコンテンツデータに対応する著作権管理情報を生成する。
著作権管理部１０３５で生成された著作権管理情報は、制御部１０２３の制御のもとにコンテンツデータと対応付けられて記憶媒体１０２９に登録される。
また著作権管理部１０３５は、記憶媒体１０２９と特定の外部記録媒体との間で著作権管理情報を対応付けたコンテンツデータをチェックアウトするときや、当該特定の外部記録媒体と記憶媒体１０２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
ページ情報生成部１０３６は、ネットワークからネットワークインタフェース１０３３及び通信制御部１０３２を順次介して受信されたＸＭＬ（ｅＸｔｅｎ−ｓｉｂｌｅ  Ｍａｒｋｕｐ  Ｌａｎｇｕａｇｅ）ファイル、あるいはＨＴＭＬ（Ｈｙｐｅｒ  Ｔｅｘｔ  Ｍａｒｋｕｐ  ｌａｎｇｕａｇｅ）ファイル等のページ情報を解釈して表示部１０２５に表示するための映像データを生成し、当該生成した映像データを表示制御部１０２４に送出する。
認証処理部１０３７は、ネットワークインタフェース１０３３を介して接続されるネットワーク上のポータルサーバ１００３やサービス提供サーバ等に対し認証情報を通信制御部１０３２及びネットワークインタフェース１０３３を順次介して送信する等の認証処理を実行する。
認証情報記憶部１０３８は、認証処理部１０３７がポータルサーバ１００３やサービス提供サーバ等に対しアクセスするときに必要となる認証情報を記憶する。
ラジオ放送表示制御部１０３９は、現在、ユーザによる聴取用に受信中のラジオ放送に関するラジオ放送情報を要求するための要求信号を通信制御部１０３２及びネットワークインタフェース１０３３を順次介して、当該受信中のラジオ放送を放送しているラジオ局に対応するサービス提供サーバのひとつであるラジオ放送情報配信サーバ１００６に送信する。
その結果、ラジオ放送表示制御部１０３９は、ネットワーク上のラジオ放送情報配信サーバ１００６から送信されたラジオ放送情報をネットワークインタフェース１０３３及び通信制御部１０３２を順次介して受信すると共に、当該受信したラジオ放送情報を表示制御部１０２４に送出することにより表示部１０２５に対し、現在受信中のラジオ番組の番組名や、当該受信中の楽曲のタイトル及びアーティスト名等からなるラジオ放送情報（上述の第１の実施の形態における関連情報に相当）を表示させる。
（３−２）ポータルサーバの構成
次に、図１１を用いて認証サーバとしてのポータルサーバ１００３の機能回路ブロックによるハードウェア構成を説明する。ポータルサーバ１００３内の制御部１０５０は、バス１０５１を介して接続される各回路の動作を制御する。
通信制御部１０５２は、制御部１０５０の制御のもと、ネットワークインタフェース１０５３を介してクライアント端末１００２やサービス提供サーバ等と各種情報を送受信する。
顧客データベース部１０５４には、本システムの運営業者とすでに契約を完了しているユーザのユーザＩＤ（Ｉｄｅｎｔｉｆｉｃａｔｉｏｎ）情報とパスワード情報とが対応付けられて顧客情報として登録されている。
ページ情報記憶部１０５５には、本システムの運営業者が管理するページ情報等が記憶されている。
なおこのページ情報は、ＸＭＬ等の言語によって記述されており、サービス提供サーバ等にアクセスするためのＵＲＬ（Ｕｎｉｆｏｒｍ  Ｒｅｓｏｕｒｃｅ  Ｌｏｃａｔｏｒ）情報を含んでいる。
認証処理部１０５６は、クライアント端末１００２から送信されたユーザＩＤ情報及びパスワード情報をネットワークインタフェース１０５３及び通信制御部１０５２を順次介して受信すると、ユーザ認証処理として、当該受信したユーザＩＤ情報及びパスワード情報が顧客データベース部１０５４に顧客情報として登録されているか否かを確認する。
そして認証処理部１０５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部１０５７に一時記憶する。
このとき制御部１０５０は、認証処理部１０５６によるユーザ認証処理の結果、ユーザが正規ユーザであると認証されると、ページ情報記憶部１０５５に記憶されている契約者用ページのページ情報をポータル認証結果情報と共に通信制御部１０５２及びネットワークインタフェース１０５３を順次介してクライアント端末１００２に送信する。
なお制御部１０５０は、認証処理部１０５６によるユーザ認証処理の結果、ユーザが正規ユーザであると認証されなかったときには、認証エラー情報を、ページ情報記憶部１０５５に記憶されている認証の失敗を示す認証失敗通知ページ情報と共に通信制御部１０５２及びネットワークインタフェース１０５３を順次介してクライアント端末１００２に送信するように構成しても良い。
また認証処理部１０５６は、サービス提供サーバ等からユーザに対する認証処理が実行された結果、当該ユーザのクライアント端末１００２から取得して送信されるポータル認証結果情報（後述する認証チケット）をネットワークインタフェース１０５３及び通信制御部１０５２を順次介して受信すると、当該受信したポータル認証結果情報と、認証情報記憶部１０５７に一時記憶していた当該ユーザに対応するポータル認証結果情報とを比較する。
これにより認証処理部１０５６は、サービス提供サーバ等から受信したポータル認証結果情報に対する認証処理として、正規のポータル認証結果情報であるか否かを確認する確認処理を実行し、その確認結果を示す確認結果情報を通信制御部１０５２及びネットワークインタフェース１０５３を順次介して当該サービス提供サーバ等に返信する。
周波数情報記憶部１０５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
ＵＲＬ記憶部１０５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
（３−３）ラジオ放送情報配信サーバの機能回路ブロック構成
次に、図１２を用いてサービス提供サーバのひとつであるラジオ放送情報配信サーバ１００６の機能回路ブロックによるハードウェア構成を説明する。ラジオ放送情報配信サーバ１００６内の制御部１１１０は、バス１１１１を介して接続される各回路の動作を制御する。
通信制御部１１１２は、制御部１１１０の制御のもと、ネットワークインタフェース１１１３を介してクライアント端末１００２やポータルサーバ１００３等と各種情報を送受信する。
顧客データベース部１１１４には、ラジオ放送情報配信サーバ１００６の運営業者とすでに契約を完了しているユーザのユーザＩＤ情報とパスワード情報とが対応付けられて顧客情報として登録されている。ただし認証処理部１１１５が、クライアント端末１００２から送信される、ポータルサーバ１００３によって発行されたポータル認証結果情報に基づいてユーザを認証処理する機能を有する場合には、顧客データベース部１１１４を設けなくてもよい。
ページ情報記憶部１１１６には、ラジオ放送情報配信サーバ１００６が管理し、当該ラジオ放送情報配信サーバ１００６に対応するラジオ局によってすでに放送されたラジオ番組に関するラジオ放送情報（以下、これを特にオンエアリスト情報と呼ぶ）の取得に利用させるオンエアリスト情報配信用ページのページ情報等が記憶されている。
因みにオンエアリスト情報配信用ページのページ情報は、ＸＭＬ等の言語によって記述され、クライアント端末１００２を利用するユーザに対し、ラジオ番組の放送日時情報や番組名等を、取得希望のオンエアリスト情報に対する検索キーとして入力させるための入力ボックス等が設けられている。
オンエアリスト情報記憶部１１１７には、ラジオ放送情報配信サーバ１００６に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
そして制御部１１１０は、クライアント端末１００２から送信される、オンエアリスト情報配信用ページのページ情報を要求するページ情報取得要求信号をネットワークインタフェース１１１３及び通信制御部１１１２を順次介して受信すると、当該受信したページ情報取得要求信号に応じて、ページ情報記憶部１１１６に記憶されたオンエアリスト情報配信用ページのページ情報を通信制御部１１１２及びネットワークインタフェース１１１３を順次介してクライアント端末１００２に送信する。
その結果、検索部１１１８は、クライアント端末１００２からオンエアリスト情報配信用ページのページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１１３及び通信制御部１１１２を順次介して受信すると、当該受信したオンエアリスト情報要求信号から検索キーを取り出す。
そして検索部１１１８は、かかる検索キーに基づいて、オンエアリスト情報記憶部１１１７内のオンエアリスト情報全体に対し当該検索キーの示す検索条件に該当する所定範囲部分を取得希望のオンエアリスト情報として検索する。
これにより制御部１１１０は、その検索された取得希望のオンエアリスト情報を通信制御部１１１２及びネットワークインタフェース１１１３を順次介してクライアント端末１００２に送信する。
またナウオンエア情報記憶部１１１９には、ラジオ放送情報配信サーバ１００６に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるラジオ放送情報（ナウオンエア情報）が記憶されている。
そして認証処理部１１１５は、クライアント端末１００２からナウオンエア情報を取得要求するナウオンエア情報要求信号と共に送信される、当該クライアント端末１００２を利用するユーザのユーザＩＤ情報及びパスワード情報をネットワークインタフェース１１１３及び通信制御部１１１２を順次介して受信すると、ユーザ認証処理として、当該受信したユーザＩＤ情報及びパスワード情報が顧客データベース部１１１４に顧客情報として登録されているか否かを確認する。
また認証処理部１１１５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１１１３及び通信制御部１１１２を順次介して受信し、当該受信したポータル認証結果情報を通信制御部１１１２及びネットワークインタフェース１１１８を順次介してポータルサーバ１００３に送信する。
そして認証処理部１１１５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１１１３及び通信制御部１１１２を順次介して受信し、当該受信した確認結果情報に基づいてユーザが音楽関連サービス提供システム１０００の運営業者とすでに契約を完了している正規ユーザであるか否かを確認する。
このようにして認証処理部１１１５は、ユーザ認証処理が終了すると、そのユーザ認証処理の結果を示したサーバ認証結果情報（後述するサービスセッションＩＤ情報）を発行する。
このとき制御部１１１０は、認証処理部１１１５によるユーザ認証処理の結果、ユーザが正規ユーザであると認証されると、ナウオンエア情報記憶部１１１９に記憶されているナウオンエア情報をサーバ認証結果情報と共に通信制御部１１１２及びネットワークインタフェース１１１３を順次介してクライアント端末１００２に送信する。
これに対して制御部１１１０は、認証処理部１１１５によるユーザ認証処理の結果、ユーザが正規ユーザであると認証されなかったときには、認証エラー情報を、ページ情報記憶部１１１６に記憶されている認証の失敗を示す認証失敗通知ページ情報と共に通信制御部１１１２及びネットワークインタフェース１１１３を順次介してクライアント端末１００２に送信する。
このようにして制御部１１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバ１００６が提供するラジオ放送情報配信サービスを受けさせないようにしている。
ところで認証情報記憶部１１２０には、認証処理部１１１５により発行されたサーバ認証結果情報が一時記憶されると共に、当該認証処理部１１１５により、クライアント端末１００２を利用するユーザをユーザ認証処理するときに必要とされる各種認証情報が記憶されている。
（３−４）各サーバの処理概要
次に図１３乃至図１５に示すシーケンスチャートを用いて、クライアント端末１００２とポータルサーバ１００３との間で実行される処理や、クライアント端末１００２と各サービス提供サーバとの間で実行される処理の概要を説明する。
（３−４−１）クライアント端末１００２及びポータルサーバ１００３間のユーザ認証処理手順
まず図１３を用いて、クライアント端末１００２とポータルサーバ１００３との間で実行されるユーザ認証処理手順について説明する。
本システムの運営業者と契約しているユーザのクライアント端末１００２における制御部１０２３は、例えばクライアント端末１００２に対して電源を投入する操作が行われ、又はユーザにより操作入力部１０２０の特定の操作ボタンが押下されたことに応じてその操作入力部１０２０で認識された操作入力信号が入力処理部１０２１で操作コマンドに変換されて与えられると、認証要求処理を開始する。
認証要求処理を開始すると、ステップＳＰ１０００において、制御部１０２３は、認証情報記憶部１０３８に対し予め一時記憶している認証セッションＩＤ情報等を格納した接続要求信号を生成し、当該生成した接続要求信号を通信制御部１０３２及びネットワークインタフェース１０３３を順次介してポータルサーバ１００３に送信する。
因みに認証セッションＩＤ情報は、クライアント端末１００２とポータルサーバ１００３とがユーザ認証処理等の各種処理の実行用に通信接続する毎に、個々の通信接続状態（すなわち、セッション）の識別用としてポータルサーバ１００３によって発行される識別情報である。
なおかかる認証セッションＩＤ情報については、ユーザ認証処理等に利用するうえで、ポータルサーバ１００３による発行時点を基準とした所定の有効期限（例えば１分程度）が設定されている。
従ってポータルサーバ１００３から認証セッションＩＤ情報を取得したクライアント端末１００２は、その認証セッションＩＤ情報を有効期限以内にポータルサーバ１００３に対して提示することができない場合、ポータルサーバ１００３により、当該認証セッションＩＤ情報で特定される通信接続状態が切断されたと判断される。
これによりポータルサーバ１００３は、過去に発行した認証セッションＩＤ情報が、音楽関連サービス提供システム１の運営業者と契約してはいないユーザによりユーザ認証処理等に対し不当に利用されることを防止している。
また認証情報記憶部１０３８に一時記憶されている認証セッションＩＤ情報は、クライアント端末１００２とポータルサーバ１００３とが以前にユーザ認証処理等の実行用に通信接続したとき、そのポータルサーバ１００３によって発行されたものである。
クライアント端末１００２から接続要求信号が送信されると、これに応じてステップＳＰ１００１においてポータルサーバ１００３の制御部１０５０は、ネットワークインタフェース１０５３及び通信制御部１０５２を順次介してその接続要求信号を受信し、当該受信した接続要求信号に格納されている認証セッションＩＤ情報等を認証処理部１０５６に送出する。
そして認証処理部１０５６は、制御部１０５０の制御のもと、クライアント端末１００２から接続要求信号として受信された認証セッションＩＤ情報等に基づいてユーザ認証処理を実行する。
その結果、制御部１０５０は、認証処理部１０５６において、クライアント端末１００２から受信した認証セッションＩＤ情報等の有効期限が切れている等により、当該クライアント端末１００２を利用するユーザを正規ユーザであると認証することができなかったときには、認証エラーを示す認証エラー情報を通信制御部１０５２及びネットワークインタフェース１０５３を順次介してクライアント端末１００２に送信する。
ステップＳＰ１００２において、クライアント端末１００２の制御部１０２３は、ポータルサーバ１００３から送信された認証エラー情報をネットワークインタフェース１０３３及び通信制御部１０３２を順次介して受信すると、これに応じて認証情報記憶部１０３８に記憶しているユーザＩＤ情報、パスワード情報、及び端末ＩＤ等を読み出し、当該読み出したユーザＩＤ情報、パスワード情報、及び端末ＩＤ等を通信制御部１０３２及びネットワークインタフェース１０３３を順次介してポータルサーバ１００３に送信する。
ステップＳＰ１００３において、ポータルサーバ１００３の制御部１０５０は、クライアント端末１００２から送信されたユーザＩＤ情報、パスワード情報、及び端末ＩＤ等をネットワークインタフェース１０５３及び通信制御部１０５２を順次介して受信し、これらを認証処理部１０５６に送出する。
認証処理部１０５６は、制御部１０５０の制御のもと、ユーザ認証処理として、これら受信したユーザＩＤ情報、パスワード情報、及び端末ＩＤ等が、顧客データベース部１０５４に登録されている顧客情報に含まれているか否かを検出する。
その結果、認証処理部１０５６は、クライアント端末１００２を利用するユーザを正規ユーザであると認証すると、制御部１０５０の制御のもと、ポータル認証結果情報として現時点のクライアント端末１００２とポータルサーバ１００３との通信接続状態に対する認証セッションＩＤ情報等を発行すると共に、この発行した認証セッションＩＤ情報等を認証情報記憶部１０５７に一時記憶する。
そして制御部１０５０は、認証処理部１０５６がクライアント端末１００２に対して発行した認証セッションＩＤ情報等を通信制御部１０５２及びネットワークインタフェース１０５３を順次介してクライアント端末１００２に送信する。
ステップＳＰ１００４において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７に送出する。
認証処理部１０３７は、制御部１０２３の制御のもと、この受信した認証セッションＩＤ情報等を認証情報記憶部１０３８に一時記憶する。
そして制御部１０２３は、ポータルサーバ１００３に対しページ情報を要求するためのページ情報取得要求信号を、ポータルサーバ１００３から受信して認証情報記憶部１０３８に一時記憶されたその認証セッションＩＤ情報等と共に通信制御部１０３２及びネットワークインタフェース１０３３を順次介してポータルサーバ１００３に送信する。
ステップＳＰ１００５において、ポータルサーバ１００３の制御部１０５０は、クライアント端末１００２から送信されたページ情報取得要求信号及び認証セッションＩＤ情報等をネットワークインタフェース１０５３及び通信制御部１０５２を順次介して受信し、当該受信した認証セッションＩＤ情報等を認証処理部１０５６に送出する。
認証処理部１０５６は、制御部１０５０の制御のもと、この受信した認証セッションＩＤ情報等と、上述のステップＳＰ１００３においてクライアント端末１００２に対し発行して認証情報記憶部１０５７に一時記憶していた認証セッションＩＤ情報等とを比較するようにしてユーザ認証処理を実行する。
その結果ステップＳＰ１００６において、認証処理部１０５６は、クライアント端末１００２を利用するユーザを正規ユーザであると認証すると、当該クライアント端末１００２からのページ情報の取得要求が正当な要求であると判断し、クライアント端末１００２に対して発行していた認証セッションＩＤ情報等の有効期限を延長する。
そしてこのとき制御部１０５０は、ページ情報記憶部１０５５から、ユーザによって取得要求されたページ情報を読み出すと共に、当該読み出したページ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１００７において、クライアント端末１００２の制御部１０２３は、ポータルサーバ１００３から送信されたページ情報と、有効期限の延長された認証セッションＩＤ情報等とをネットワークインタフェース１０３３及び通信制御部１０３２を順次介して受信し、当該受信したページ情報をページ情報生成部１０３６に送出すると共に、その有効期限の延長された認証セッションＩＤ情報等を認証処理部１０３７に送出する。
ページ情報生成部１０３６は、制御部１０２３から与えられたページ情報に基づいて、各サービス提供サーバへのリンクが埋め込まれたページの映像データを生成し、当該生成した映像データを表示制御部１０２４に送出する。
これにより表示制御部１０２４は、ページ情報生成部１０３６から与えられた映像データに対してディジタルアナログ変換処理を施し、得られたアナログ映像信号を表示部１０２５に送出することにより当該表示部１０２５にそのアナログ映像信号に基づく映像としてポータルサーバ１００３のページを表示させる。
また認証処理部１０３７は、制御部１０２３の制御のもと、ポータルサーバ１００３から受信した有効期限の延長されている認証セッションＩＤ情報等をその有効期限が延長される前の認証セッションＩＤ情報等に上書きするようにして認証情報記憶部１０３８に一時記憶することにより、上述のステップＳＰ１００４において一時記憶していた認証セッションＩＤ情報等を有効期限の延長された認証セッションＩＤ情報等に更新する。
（３−４−２）クライアント端末１００２及びサービス提供サーバ間のユーザ認証処理手順
次に、図１４を用いて、クライアント端末１００２と、各サービス提供サーバとの間で実行するユーザ認証処理について以下に説明する。
ところで、実際上サービス提供サーバは、ラジオ放送情報配信サーバ１００６や、図示しない物販サーバ等、提供するサービス毎に複数設けられている場合があるが、これらとクライアント端末２との間で実行されるユーザ認証処理は、どのサービス提供サーバとであっても同様の手順で実行されるようになされている。
このため各サービス提供サーバは、それぞれユーザ認証処理を実行するのに必要となる制御部、認証処理部、ページ情報記憶部、認証情報記憶部、通信制御部及びネットワークインタフェース（例えばラジオ放送情報配信サーバであれば、制御部１１１０、認証処理部１１１５、ページ情報記憶部１１１６、認証情報記憶部１１１６、通信制御部１１１２及びネットワークインタフェース１１１３）を有している。
また、このユーザ認証処理は、クライアント端末１００２が、ポータルサーバ１００３から取得したページ情報のリンクをもとに各サービス提供サーバにアクセスして実行される場合と、予めブックマークとして登録しているＵＲＬ情報等をもとに各サービス提供サーバにアクセスして実行される場合とがあるが、どちらの場合であっても同様の手順で実行されるようになされている。
これらをふまえたうえで、以下ユーザ認証処理について詳述する。
まず、ステップＳＰ１０１０において、クライアント端末１００２の制御部１０２３は、ページ情報にリンクとして埋め込まれたＵＲＬ情報、又はすでにブックマークとして登録しているＵＲＬ情報等に従って、サービス提供用ページ（例えばラジオ放送情報配信サーバであれば、オンエアリスト情報配信用ページ）のページ情報を取得要求するページ情報取得要求信号と共に、認証情報記憶部１０３８から読み出したサービスセッションＩＤ情報等を通信制御部１０３２及びネットワークインタフェース１０３３を順次介してサービス提供サーバに送信する。
因みにサービスセッションＩＤ情報は、クライアント端末１００２と各サービス提供サーバとがユーザ認証処理等の各種処理の実行用に通信接続する毎に、個々の通信接続状態（すなわち、セッション）の識別用として、クライアント端末１００２がアクセスした各サービス提供サーバによって発行される識別情報である。
なおかかるサービスセッションＩＤ情報については、上述した認証セッションＩＤ情報と同様に、ユーザ認証処理等に利用するうえで各サービス提供サーバによる発行時点を基準とした所定の有効期限（例えば１分程度）が設定されている。
従って各サービス提供サーバからサービスセッションＩＤ情報を取得したクライアント端末１００２は、そのサービスセッションＩＤ情報を有効期限以内に発行元のサービス提供サーバに対して提示することができない場合、発行元のサービス提供サーバにより、当該サービスセッションＩＤ情報で特定される通信接続状態が切断されたと判断される。
これにより各サービス提供サーバは、過去に発行したサービスセッションＩＤ情報が、情報提供システムの運営業者と契約してはいないユーザによりユーザ認証処理等に対し不当に利用されることを防止している。
また認証情報記憶部１０３８に一時記憶されているサービスセッションＩＤ情報は、クライアント端末１００２と各サービス提供サーバとが以前にユーザ認証処理等の実行用に通信接続したとき、そのアクセス先のサービス提供サーバによって発行されたものである。
ステップＳＰ１０１１において、サービス提供サーバの制御部は、クライアント端末１００２から送信されたページ情報取得要求信号及びサービスセッションＩＤ情報等をネットワークインタフェース及び通信制御部を順次介して受信し、当該受信したサービスセッションＩＤ情報等を認証処理部に送出する。
認証処理部は、制御部の制御のもと、この受信したサービスセッションＩＤ情報等と、認証情報記憶部にすでに一時記憶しているサービスセッションＩＤ情報等とを比較するようにしてユーザ認証処理を実行する。
その結果、認証処理部は、例えばクライアント端末１００２から受信されたサービスセッションＩＤ情報の有効期限がすでに切れていることにより、当該クライアント端末１００２を利用するユーザを正規ユーザであるとは認証することができない場合、クライアント端末１００２からのサービス提供用ページのページ情報の取得要求が正当な要求ではないと判断する。
そしてこの場合、制御部は、認証エラーを示す認証エラー情報と、サービス提供サーバを識別するためのサービス識別情報としてのショップコードとを通信制御部及びネットワークインタフェースを順次介してクライアント端末１００２に送信する。
ステップＳＰ１０１２において、クライアント端末１００２の制御部１０２３は、サービス提供サーバから送信された認証エラー情報及びショップコードをネットワークインタフェース１０３３及び通信制御部１０３２を順次介して受信し、当該受信した認証エラー情報により、サービス提供サーバにおいてユーザが正規ユーザとして認証されなかったことを認識すると共に、そのサービス提供サーバから受信したショップコードを認証情報記憶部１０３８に一時記憶する。
そして制御部１０２３は、ポータルサーバ１００３に対して、サービス提供サーバにアクセスするための認証チケットの発行を要求する認証チケット発行要求信号を生成し、当該生成した認証チケット発行要求信号をサービス提供サーバのショップコード、及びすでにポータルサーバ１００３から受信して認証情報記憶部１０３８に対し一時記憶している認証セッションＩＤ情報等と共に通信制御部１０３２及びネットワークインタフェース１０３３を順次介してポータルサーバ１００３に送信する。
ステップＳＰ１０１３において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
認証処理部１０５６は、制御部１０５０の制御のもと、この受信した認証セッションＩＤ情報等と、認証情報記憶部１０５７に対しすでに一時記憶している認証セッションＩＤ情報等とを比較するようにしてユーザ認証処理を実行する。
その結果、認証処理部１０５６は、例えばクライアント端末１００２から受信された認証セッションＩＤ情報の有効期限がすでに切れており、当該クライアント端末１００２を利用するユーザを正規ユーザであるとは認証することができない場合、クライアント端末１００２からの認証チケットの発行要求が正当な要求ではないと判断する。
そしてこの場合、制御部１０５０は、認証エラーを示す認証エラー情報を通信制御部１０５２及びネットワークインタフェース１０５３を順次介してクライアント端末１００２に送信する。
これに対して認証処理部１０５６は、例えばクライアント端末１００２から受信された認証セッションＩＤ情報の有効期限が未だ切れてはいないために、クライアント端末１００２を利用するユーザを正規ユーザであると認証すると、当該クライアント端末１００２からの認証チケットの発行要求が正当な要求であると判断する。そしてこの場合、制御部１０５０は、後述するステップＳＰ１０１８に移る。
ステップＳＰ１０１４において、クライアント端末１００２の制御部１０２３は、ポータルサーバ１００３から送信された認証エラー情報をネットワークインタフェース１０３３及び通信制御部１０３２を順次介して受信すると、認証情報記憶部１０３８に記憶されているユーザＩＤ情報、パスワード情報、及び端末ＩＤ等を読み出すと共に、これらを通信制御部１０３２及びネットワークインタフェース１０３３を順次介してポータルサーバ１００３に送信する。
ステップＳＰ１０１５において、ポータルサーバ１００３の制御部１０５０は、クライアント端末１００２から送信されたユーザＩＤ情報、パスワード情報、及び端末ＩＤ等をネットワークインタフェース１０５３及び通信制御部１０５２を順次介して受信し、これらを認証処理部１０５６に送出する。
認証処理部１０５６は、制御部１０５０の制御のもと、これら受信したユーザＩＤ情報、パスワード情報、及び端末ＩＤ等が、顧客データベース部１０５４に登録されている顧客情報に含まれているか否かを検出するようにしてユーザ認証処理を実行する。
その結果、認証処理部１０５６は、クライアント端末１００２を利用するユーザを正規ユーザであると認証すると、制御部１０５０の制御のもとポータル認証結果情報として、現時点のクライアント端末１００２とポータルサーバ１００３との通信接続状態に対する認証セッションＩＤ情報等を発行すると共に、この発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１０１６において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７により認証情報記憶部１０３８に一時記憶する。
そして制御部１０２３は、再びポータルサーバ１００３に対して、認証チケットの発行を要求する認証チケット発行要求信号を生成すると共に、当該生成した認証チケット発行要求信号を、認証情報記憶部１０３８にすでに一時記憶しているショップコード、及びこのとき一時記憶した認証セッションＩＤ情報等と共に通信制御部１０３２及びネットワークインタフェース１０３３を順次介してポータルサーバ１００３に送信する。
ここで本実施の形態では、クライアント端末１００２において認証情報記憶部１０３８に対しショップコードを一時記憶しておいたが、これに限らず、当該クライアント端末１００２とポータルサーバ１００３との間でステップＳＰ１０１２乃至ステップＳＰ１０１６の処理を実行する際にショップコードを順次送受信することにより、クライアント端末１００２において認証情報記憶部１０３８に対しショップコードを一時記憶しなくてもステップＳＰ１０１６においてポータルサーバ１００３に対しショップコードを送信することが可能である。
ステップＳＰ１０１７において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
認証処理部１０５６は、制御部１０５０の制御のもと、この受信した認証セッションＩＤ情報等と、認証情報記憶部１０５７にすでに一時記憶している認証セッションＩＤ情報等とを比較するようにしてユーザ認証処理を実行する。
その結果、認証処理部１０５６は、例えばクライアント端末１００２から受信した認証セッションＩＤ情報等の有効期限が未だ切れてはいないために、クライアント端末１００２を利用するユーザを正規ユーザであると認証すると、当該クライアント端末１００２からの認証チケットの発行要求が正当な要求であると判断する。
そして続くステップＳＰ１０１８において認証処理部１０５６は、制御部１０５０の制御のもと、上述のステップＳＰ１０１７においてクライアント端末１００２から受信したショップコード及び認証チケット発行要求信号に基づいて、ポータル認証結果情報として、当該ショップコードの示すサービス提供サーバへのアクセスを可能にする認証チケット等を発行する。
ここで認証処理部１０５６は、制御部１０５０の制御のもと、その発行した認証チケット等を認証情報記憶部１０５７に一時記憶すると共に、クライアント端末１００２に対して発行していた認証セッションＩＤ情報等の有効期限を延長する。
そして制御部１０５０は、認証処理部１０５６が発行したこの認証チケット等を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０１９において、クライアント端末１００２の制御部１０２３は、ポータルサーバ１００３から送信された認証チケット等と、有効期限の延長された認証セッションＩＤ情報等とをネットワークインタフェース１０３３及び通信制御部１０３２を順次介して受信し、当該受信した認証セッションＩＤ情報を認証処理部１０３７に送出する。
そして制御部１０２３は、そのポータルサーバ１００３から受信した認証チケット等を認証要求信号と共に通信制御部１０３２及びネットワークインタフェース１０３３を順次介してサービス提供サーバに送信する。
また認証処理部１０３７は、このとき制御部１０２３の制御のもと、ポータルサーバ１００３から受信された有効期限の延長されている認証セッションＩＤ情報等をその有効期限が延長される前の認証セッションＩＤ情報等に上書きするようにして認証情報記憶部１０３８に一時記憶することにより、上述のステップＳＰ１０１６において一時記憶していた認証セッションＩＤ情報等を有効期限の延長された認証セッションＩＤ情報等に更新する。
ステップＳＰ１０２０において、サービス提供サーバの制御部は、クライアント端末１００２から送信された認証要求信号及び認証チケット等をネットワークインタフェース及び通信制御部を順次介して受信する。
そして制御部は、そのクライアント端末１００２から受信した認証チケット等を当該認証チケット等の確認を要求する認証チケット確認要求信号と共に通信制御部及びネットワークインタフェースを順次介してポータルサーバ１００３に送信する。
ステップＳＰ１０２１において、ポータルサーバ１００３の制御部１０５０は、サービス提供サーバから送信された認証チケット確認要求信号及び認証チケット等をネットワークインタフェース１０５３及び通信制御部１０５２を順次介して受信し、当該受信した認証チケット確認要求信号及び認証チケット等を認証処理部１０５６に送出する。
そして認証処理部１０５６は、制御部１０５０の制御のもと、認証チケット確認要求信号に応じて、この受信した認証チケット等と、認証情報記憶部１０５７にすでに一時記憶している認証チケット等とを比較するようにして、サービス提供サーバから受信した認証チケットに対する確認処理を実行する。
その結果、制御部１０５０は、認証処理部１０５６において、サービス提供サーバから受信した認証チケット等が正規の認証チケット等であると確認されると、当該認証チケット等を正規の認証チケット等であると確認したことを示す確認結果情報を通信制御部１０５２及びネットワークインタフェース１０５３を順次介してサービス提供サーバに送信する。
ステップＳＰ１０２２において、サービス提供サーバの制御部は、ポータルサーバ１００３から送信された確認結果情報をネットワークインタフェース及び通信制御部を順次介して受信し、当該受信した確認結果情報を認証処理部に送出する。
認証処理部は、制御部の制御のもと、その確認結果情報に応じて、サーバ認証結果情報として現時点のクライアント端末１００２とサービス提供サーバとの通信接続状態に対するサービスセッションＩＤ情報等を発行すると共に、当該発行したサービスセッションＩＤ情報等を認証情報記憶部に一時記憶する。
そして制御部は、認証処理部がクライアント端末１００２に対して発行したこのサービスセッションＩＤ情報等を通信制御部及びネットワークインタフェースを順次介してクライアント端末１００２に送信する。
ステップＳＰ１０２３において、クライアント端末１００２の制御部１０２３は、サービス提供サーバから送信されたサービスセッションＩＤ情報等をネットワークインタフェース１０３３及び通信制御部１０３２を順次介して受信し、当該受信したサービスセッションＩＤ情報等を認証処理部１０３７により認証情報記憶部１０３８に対し一時記憶させる。
そして制御部１０２３は、サービス提供用ページのページ情報を要求するページ情報取得要求信号を、認証情報記憶部１０３８に一時記憶させたサービスセッションＩＤ情報等と共に通信制御部１０３２及びネットワークインタフェース１０３３を順次介してサービス提供サーバに送信する。
ステップＳＰ１０２４において、サービス提供サーバの制御部は、クライアント端末１００２から送信されたページ情報取得要求信号及びサービスセッションＩＤ情報等をネットワークインタフェース及び通信制御部を順次介して受信し、当該受信したサービスセッションＩＤ情報等を認証処理部に送出する。
認証処理部は、制御部の制御のもと、この受信したサービスセッションＩＤ情報等と、上述のステップＳＰ１０２２ですでにクライアント端末１００２に対し発行して認証情報記憶部に一時記憶していたサービスセッションＩＤ情報等とを比較するようにしてユーザ認証処理を実行する。
その結果、認証処理部は、例えばクライアント端末１００２から受信したサービスセッションＩＤ情報等の有効期限が未だ切れてはいないために、そのクライアント端末１００２を利用するユーザを正規ユーザであると認証すると、当該クライアント端末１００２からのサービス提供用ページのページ情報の取得要求が正当な要求であると判断する。
そしてこのとき制御部は、次のステップＳＰ１０２５に移り、このステップＳＰ１０２５において、ページ情報記憶部から、ユーザにより取得要求されたサービス提供用ページのページ情報を読み出すと共に、認証処理部において、クライアント端末１００２に対して発行していたサービスセッションＩＤ情報等の有効期限を延長させる。
そして制御部は、そのページ情報記憶部から読み出したサービス提供用ページのページ情報を、認証処理部により有効期限を延長させたサービスセッションＩＤ情報等と共に通信制御部及びネットワークインタフェースを順次介してクライアント端末１００２に送信する。
ステップＳＰ１０２６において、クライアント端末１００２の制御部１０２３は、サービス提供サーバから送信されたサービス提供用ページのページ情報と、有効期限の延長されたサービスセッションＩＤ情報等とをネットワークインタフェース１０３３及び通信制御部１０３２を順次介して受信し、当該受信したサービス提供用ページのページ情報をページ情報生成部１０３６に送出すると共に、受信したサービスセッションＩＤ情報等を認証処理部１０３７に送出する。
認証処理部１０３７は、制御部１０２３の制御のもと、この受信した有効期限の延長されているサービスセッションＩＤ情報等をその有効期限が延長される前のサービスセッションＩＤ情報等に上書きするようにして認証情報記憶部１０３８に一時記憶することにより、上述のステップＳＰ１０２３において一時記憶していたサービスセッションＩＤ情報等を有効期限の延長されたサービスセッションＩＤ情報等に更新する。
またページ情報生成部１０３６は、サービス提供用ページのページ情報に基づく映像データを生成し、当該生成した映像データを表示制御部１０２４に送出する。
これにより表示制御部１０２４は、ページ情報生成部１０３６から与えられた映像データに対しディジタルアナログ変換処理を施し、得られたアナログ映像信号を表示部１０２５に送出することにより当該表示部１０２５にそのアナログ映像信号に基づく映像としてサービス提供用ページを表示する。
（３−４−３）ラジオ放送情報（ナウオンエア情報）配信サービス提供処理
次に図１５を用いてクライアント端末１００２が、サービス提供サーバのひとつであるラジオ放送情報配信サーバ１００６からラジオ放送情報配信サービスとして特にナウオンエア情報配信サービスの提供を受ける際のラジオ放送情報配信サービス提供処理手順について説明する。
ただしナウオンエア情報を提供するラジオ放送情報配信サーバ１００６は、ラジオ局（コールサイン）毎に設けられている。
そしてクライアント端末１００２には、初期状態において、各ラジオ局に対応するラジオ放送情報配信サーバ１００６のＵＲＬ情報が記憶されていない場合がある。
そのため以下のラジオ放送情報配信サービス提供処理手順については、各ラジオ放送情報配信サーバ１００６のＵＲＬ情報をラジオ局のコールサイン毎にポータルサーバ１００３が管理している場合を例に挙げて説明する。
またかかるラジオ放送情報配信サービス提供処理手順では、クライアント端末１００２が、ラジオ局毎の放送周波数を自動プリセットするためにポータルサーバ１００３に対して当該放送周波数を示す周波数情報を要求するときに、認証情報記憶部１０３８に対し認証セッションＩＤ情報等を一時記憶してはいない場合を想定している。このため、まずクライアント端末１００２は、ポータルサーバ１００３に対しユーザＩＤ情報、パスワード情報、及び端末ＩＤ等を送信することになる。
ステップＳＰ１０７０においてクライアント端末１００２の制御部１０２３は、入力処理部１０２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部１０３８に記憶されているユーザＩＤ情報、パスワード情報、及び端末ＩＤ等と共に通信制御部１０３２及びネットワークインタフェース１０３３を順次介してポータルサーバ１００３に送信する。
ステップＳＰ１０７１において、ポータルサーバ１００３の制御部１０５０は、クライアント端末１００２から送信された周波数情報要求信号、地域コード、ユーザＩＤ情報、パスワード情報、及び端末ＩＤ等をネットワークインタフェース１０５３及び通信制御部１０５２を順次介して受信し、これらのうちユーザＩＤ情報、パスワード情報、及び端末ＩＤ等を認証処理部１０５６に送出する。
認証処理部１０５６は、制御部１０５０の制御のもと、これら受信したユーザＩＤ情報、パスワード情報、及び端末ＩＤ等と、顧客データベース部１０５４に登録している顧客情報とを比較するようにしてユーザ認証処理を実行する。
その結果、認証処理部１０５６は、クライアント端末１００２を利用するユーザを正規ユーザであると認証し、当該クライアント端末１００２からの周波数情報の取得要求が正当な要求であると判断すると、制御部１０５０の制御のもと、現時点のクライアント端末１００２とポータルサーバ１００３との通信接続状態に対する認証セッションＩＤ情報等を発行し、当該発行した認証セッションＩＤ情報等を認証情報記憶部１０５７に一時記憶する。
そしてこのとき制御部１０５０は、次のステップＳＰ１０７２に移り、このステップＳＰ１０７２において、クライアント端末１００２から受信した地域コードに基づいて、周波数情報記憶部１０５８内の複数の周波数情報、ラジオ局名及びコールサインのリストの中から当該地域コードに対応する周波数情報、ラジオ局名及びコールサインを検索し、リスト化して読み出す。
そして制御部１０５０は、周波数情報記憶部１０５８からリスト化して読み出した周波数情報、ラジオ局名及びコールサインを、上述のステップＳＰ１０７１において認証処理部１０５６がクライアント端末１００２に対して発行した認証セッションＩＤ情報等と共に通信制御部１０５２及びネットワークインタフェース１０５３を順次介してクライアント端末１００２に送信する。
ステップＳＰ１０７３において、クライアント端末１００２の制御部１０２３は、ポータルサーバ１００３から送信された周波数情報、ラジオ局名及びコールサインのリストと、認証セッションＩＤ情報等とをネットワークインタフェース１０３３及び通信制御部１０３２を順次介して受信し、当該ポータルサーバ１００３から受信した認証セッションＩＤ情報等を認証処理部１０３７に送出すると共に、周波数情報、ラジオ局名及びコールサインのリストを表示制御部１０２４に送出する。
認証処理部１０３７は、制御部１０２３の制御のもと、この受信した認証セッションＩＤ情報等を認証情報記憶部１０３８に一時記憶する。
また表示制御部１０２４は、制御部１０２３から与えられた周波数情報、ラジオ局名及びコールサインのリストを表示部１０２５に送出することにより当該表示部１０２５にそのリストを表示させる。
さらに制御部１０２３は、このとき入力処理部１０２１から入力される選択コマンドに基づき、選択された周波数情報、ラジオ局名及びコールサインを記憶媒体１０２９にプリセットとして記憶して、次のステップＳＰ１０７４に移る。
ステップＳＰ１０７４において制御部１０２３は、入力処理部１０２１から入力されるチューニング制御コマンドに応じて、チューナ部１０３１を、ラジオ放送波の中からチューニング制御コマンドに対応する放送周波数で放送されているラジオ放送のラジオ放送信号を抽出するように制御する。
これによりチューナ部１０３１は、放送信号受信部３０により受信されたラジオ放送波の中から、その放送周波数で放送されているラジオ放送信号を抽出して復号等の所定の受信処理を施し、この結果得られた音声データを音声制御部１０２６に送出する。
そして音声制御部１０２６は、チューナ部１０３１から与えられる音声データをアナログ音声信号に変換してスピーカ１０２７に送出することにより当該スピーカ１０２７から、選択されたラジオ番組の音声を出力させる。
ステップＳＰ１０７５において、ラジオ放送表示制御部１０３９は、制御部１０２３の制御のもと、記憶媒体１０２９から、上述のチューニング制御コマンドに対応する放送周波数を示す周波数情報に対応して記憶されているコールサインを読み出すと共に、当該読み出したコールサインを、認証情報記憶部１０３８に対しすでに一時記憶されている認証セッションＩＤ情報（またはユーザＩＤ情報及びパスワード情報でもよい）等と共に通信制御部１０３２及びネットワークインタフェース１０３３を順次介してポータルサーバ１００３に送信する。
ステップＳＰ１０７６において、ポータルサーバ１００３の制御部１０５０は、クライアント端末１００２から送信されたコールサイン及び認証セッションＩＤ情報（またはユーザＩＤ情報及びパスワード情報）等をネットワークインタフェース１０５３及び通信制御部１０５２を順次介して受信し、当該受信した認証セッションＩＤ情報（またはユーザＩＤ情報及びパスワード情報）等を認証処理部１０５６に送出する。
認証処理部１０５６は、制御部１０５０の制御のもと、この受信した認証セッションＩＤ情報（またはユーザＩＤ情報及びパスワード情報）等と、認証情報記憶部１０５７にすでに一時記憶している認証セッションＩＤ情報（またはユーザＩＤ情報及びパスワード情報）等とを比較するようにしてユーザ認証処理を実行する。
その結果、制御部１０５０は、認証処理部１０５６により、例えばクライアント端末１００２から受信した認証セッションＩＤ情報等が有効期限内のものであり、当該クライアント端末１００２を利用してコールサインを送信したユーザが正規ユーザであると認証されると、次のステップＳＰ１０７７に移る。
ステップＳＰ１０７７において、制御部１０５０は、クライアント端末１００２から受信したコールサインに基づいて、ＵＲＬ記憶部１０５９内の複数のＵＲＬ情報の中から当該コールサインに対応付けられたＵＲＬ情報を検索する。
また制御部１０５０は、認証処理部１０５６により、クライアント端末１００２に対し発行していた認証セッションＩＤ情報等の有効期限を延長させる。
そして制御部１０５０は、ＵＲＬ記憶部１０５９から、その検索したＵＲＬ情報を読み出すと共に、当該読み出したＵＲＬ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０７８において、クライアント端末１００２の制御部１０２３は、ポータルサーバ１００３から送信されたＵＲＬ情報と、有効期限の延長された認証セッションＩＤ情報等とをネットワークインタフェース１０３３及び通信制御部１０３２を順次介して受信し、当該受信した認証セッションＩＤ情報等を認証処理部１０３７に送出すると共に、ＵＲＬ情報をラジオ放送表示制御部１０３９に送出する。
認証処理部１０３７は、制御部１０２３の制御のもと、この受信した有効期限の延長されている認証セッションＩＤ情報等をその有効期限が延長される前の認証セッションＩＤ情報等に上書きするようにして認証情報記憶部１０３８に一時記憶することにより、当該認証情報記憶部１０３８にすでに一時記憶している認証セッションＩＤ情報等の内容を更新する。
またラジオ放送表示制御部１０３９は、制御部１０２３の制御のもと、当該制御部１０２３から与えられたＵＲＬ情報を、記憶媒体１０２９に記憶しているコールサインに対応付けて記憶媒体１０２９等に一時記憶する。
そしてラジオ放送表示制御部１０３９は、制御部１０２３の制御のもと、記憶媒体１０２９等に一時記憶したＵＲＬ情報に従って、ナウオンエア情報を取得要求するナウオンエア情報要求信号を、すでにラジオ放送情報配信サーバ１００６から受信され認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ここでかかるラジオ放送情報配信サービス提供処理手順では、ステップＳＰ１０７８においてクライアント端末１００２からナウオンエア情報要求信号及びサービスセッションＩＤ情報等をラジオ放送情報配信サーバ１００６に送信する処理が、図１４について上述したステップＳＰ１０１０の処理に対応している。
従ってこのラジオ放送情報配信サービス提供処理手順では、ステップＳＰ１０７８の処理に引き続き、クライアント端末１００２及びラジオ放送情報配信サーバ１００６並びにポータルサーバ１００３において、図１４について上述したステップＳＰ１０１１乃至ステップＳＰ１０１３及びステップＳＰ１０１８乃至ステップＳＰ１０２２と同様のユーザ認証処理を順次実行した後、続くステップＳＰ１０７９に移る。
ステップＳＰ１０７９において、クライアント端末１００２のラジオ放送表示制御部１０３９は、制御部１０２３の制御のもと、再び記憶媒体１０２９等に一時記憶していたＵＲＬ情報に従ってナウオンエア情報要求信号を、すでにラジオ放送情報配信サーバ１００６から受信して認証情報記憶部１０３８に一時記憶されているサービスセッションＩＤ情報等と共に通信制御部１０３２及びネットワークインタフェース１０３３を順次介してラジオ放送情報配信サーバ１００６に送信する。
ステップＳＰ１０８０において、ラジオ放送情報配信サーバ１００６の制御部１１１０は、クライアント端末１００２から送信されたナウオンエア情報要求信号と、サービスセッションＩＤ情報等とをネットワークインタフェース１１１３及び通信制御部１１１２を順次介して受信し、当該受信した認証セッションＩＤ情報等を認証処理部１１１５に送出する。
認証処理部１１１５は、制御部１１１０の制御のもと、この受信したサービスセッションＩＤ情報等と、認証情報記憶部１１２０にすでに一時記憶しているサービスセッションＩＤ情報等とを比較するようにしてユーザ認証処理を実行する。
その結果、認証処理部１１１５は、クライアント端末１００２を利用するユーザを正規ユーザであると認証すると、当該クライアント端末１００２からのナウオンエア情報の取得要求が正当な要求であると判断する。
そしてこのとき制御部１１１０は、認証処理部１１１５により、クライアント端末１００２を利用するユーザが正規ユーザであると認証されると、当該認証処理部１１１５がクライアント端末１００２に対して発行していたサービスセッションＩＤ情報等の有効期限を延長させて、次のステップＳＰ１０８１に移る。
ステップＳＰ１０８１において、制御部１１１０は、ナウオンエア情報記憶部１１１９からナウオンエア情報を読み出し、当該読み出したナウオンエア情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０８２において、クライアント端末１００２の制御部１０２３は、ラジオ放送情報配信サーバ１００６から送信されたナウオンエア情報と、有効期限の延長されたサービスセッションＩＤ情報等とをネットワークインタフェース１０３３及び通信制御部１０３２を順次介して受信し、当該受信したサービスセッションＩＤ情報等を認証処理部１０３７に送出すると共に、ナウオンエア情報をラジオ放送表示制御部１０３９に送出する。
認証処理部１０３７は、制御部１０２３の制御のもと、この受信した有効期限の延長されているサービスセッションＩＤ情報等をその有効期限が延長される前のサービスセッションＩＤ情報等に上書きするようにして認証情報記憶部１０３８に一時記憶することにより、当該認証情報記憶部１０３８にすでに一時記憶しているサービスセッションＩＤ情報等の内容を更新する。
またラジオ放送表示制御部１０３９は、制御部１０２３から与えられたナウオンエア情報を表示制御部１０２４を介して表示部１０２５に送出することにより、当該表示部１０２５に現在受信中のラジオ放送のラジオ番組に関するナウオンエア情報を表示させる。
そしてかかるラジオ放送情報配信サービス提供処理手順では、この後、クライアント端末１００２がステップＳＰ１０７９におけるナウオンエア情報の取得要求を定期的に繰り返し実行すると共に、ラジオ放送情報配信サーバ１００６がクライアント端末１００２からその取得要求を受けてステップＳＰ１０８０及びステップＳＰ１０８１の処理を順次実行する。
これによりクライアント端末１００２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末１００２の表示部１０２５に表示することができる。
以上の構成によれば、この第２の実施の形態においても、上述の第１の実施の形態と同様の効果を得ることができる。
ところで上述の第１の実施の形態で説明した端末装置１０のプログラムモジュール（図５）のうち、ＨＴＴＰメッセージプログラム１１１及びコミュニケータプログラム１１２は、この第２の実施の形態で説明したクライアント端末１００２の通信制御部１０３２（図１０）と同様の機能を実現可能なプログラムモジュールである。
またコンテンツ再生モジュール１１３（図５）は、エンコーダ／デコーダ部１０３４（図１０）と同様の機能を実現可能なプログラムモジュールである。
さらに著作権保護情報管理モジュール１１４（図５）は、著作権管理部１０３５（図１０）と同様の機能を実現可能なプログラムモジュールである。
さらにインターネットラジオ選局再生モジュール１１８（図５）は、制御部１０２３及び音声制御部１０２６（図１０）と同様の機能を実現可能なプログラムモジュールである。
さらに楽曲購入再生モジュール１１９（図５）は、制御部１０２３及び音声制御部１０２６（図１０）と同様の機能を実現可能なプログラムモジュールである。
さらにＸＭＬブラウザ１５１（図５）は、入力処理部１０２１及びページ情報生成部１０３６（図１０）と同様の機能を実現可能なプログラムモジュールである。
さらにハードディスクコンテンツコントローラ１１７及びデータベースアクセスモジュール１１５並びにコンテンツデータアクセスモジュール１１６（図５）は、制御部１０２３（図１０）と同様の機能を実現可能なプログラムモジュールである。
さらにライブラリ１３０の認証ライブラリ１３１（図５）は、認証処理部１０３７及び認証情報記憶部１０３８（図１０）と同様の機能を実現可能なプログラムモジュールである。
さらにライブラリ１３０のクリップライブラリ１３２（図５）は、制御部１０２３（図１０）と同様の機能を実現可能なプログラムモジュールである。
さらに関連情報表示モジュール１２０（図５）は、ラジオ放送表示制御部１０３９（図１０）と同様の機能を実現可能なプログラムモジュールである。
さらにチューナ選局再生／録音モジュール１２１（図５）は、制御部１０２３及び音声制御部１０２６並びにチューナ部１０３１（図１０）と同様の機能を実現可能なプログラムモジュールである。
さらにオーディオユーザインタフェース１５２（図５）は、入力処理部１０２１及び制御部１０２３並びに表示制御部１０２４（図１０）と同様の機能を実現可能なプログラムモジュールである。
さらにＣＤ再生モジュール１４１（図５）は、音声制御部１０２６及び外部記録媒体記録再生部１０２８（図１０）と同様の機能を実現可能なプログラムモジュールである。
さらにＨＤＤ再生モジュール１４２（図５）は、制御部１０２３及び音声制御部１０２６（図１０）と同様の機能を実現可能なプログラムモジュールである。
すなわち、上述の第１の実施の形態におけるハードウェア回路ブロック構成のクライアント端末ＣＴでも、ＣＰＵ１１が各種プログラムモジュールを使って、この第２の実施の形態における機能回路ブロック構成のクライアント端末１００２と同様の処理を実行することができる。
また、上述の第１の実施の形態における総合サービスサーバ３５（図６）では、上述の第２の実施の形態におけるポータルサーバ１００３（図１１）の機能に応じて、ＲＡＭ３５ｂやハードディスクドライブ３５ｃに記憶させる各種プログラムを適宜選定することにより、ＣＰＵ３５ａが、当該各種プログラムに従ってポータルサーバ１００３の制御部１０５０、通信制御部１０５２、及び認証処理部１０５６と同様に機能すると共に、ＲＡＭ３５ｂ及びハードディスクドライブ３５ｃを、当該ポータルサーバ１００３の顧客データベース部１０５４、ページ情報記憶部１０５５、認証情報記憶部１０５７、周波数情報記憶部１０５８及びＵＲＬ記憶部１０５９と同様に用いることができる。
（４）他の実施の形態
なお、上述の実施の形態における各種処理に関しては、当該各種処理の内容を記述したプログラムによって提供されるようにしてもよい。この場合であっても、そのプログラムをコンピュータで実行することにより、上述した処理機能が当該コンピュータ上で実現される。さらにこのプログラムは、コンピュータで読み取り可能な記録媒体に記録しておいてもよい。この場合の当該記録媒体としては、例えば磁気記録装置（ハードディスク装置（ＨＤＤ）、フレキシブルディスク（ＦＤ）、磁気テープ等）、光ディスク（ＤＶＤ、ＤＶＤ−ＲＡＭ、ＣＤ−ＲＯＭ、ＣＤ−Ｒ（Ｒｅｃｏｒｄａｂｌｅ）／ＲＷ（ＲｅＷｒｉｔａｂｌｅ）等）、光磁気記録媒体（ＭＯ（Ｍａｇｎｅｔｏ−Ｏｐｔｉｃａｌ  ｄｉｓｋ）等）、半導体メモリなどがある。
このプログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
さらに上述の第１の実施の形態においては、通信装置としての端末装置１０を、送信手段としての通信処理部２２及びネットワークインタフェース２３や、通知手段としてのオーディオデータ処理部２４及びスピーカ２５や、通知手段及び表示手段としての表示処理部１６及び表示装置１７によって構成するようにした場合について述べたが、本発明はこれに限らず、その他種々の回路構成で端末装置１０を構成するようにしてもよい。
さらに上述の第２の実施の形態においては、通信装置としてのクライアント端末１００２を送信手段及び選択送信手段としての通信制御部１０３２や、記憶手段、検出手段及び選択送信手段としての制御部１０２３によって構成するようにした場合について述べたが、本発明はこれに限らず、その他種々の回路構成でクライアント端末１００２を構成するようにしてもよい。
さらに上述の実施の形態においては、ユーザ通信装置としての端末装置１０やクライアント端末１００２が受信可能な放送としてラジオ局から放送されるラジオ放送を適用したが、これに限らず、端末装置１０やクライアント端末１００２がインターネットラジオ放送や衛星ラジオ放送を受信して、その関連情報（ラジオ放送情報）を取得するようにしたり、或いはテレビジョン放送局から放送されるテレビジョン放送を受信し、そのテレビジョン放送のテレビジョン番組に関する各種放送情報等をネットワーク上のサーバから取得するようにしてもよい。
さらに上述の実施の形態においては、ハードウェア回路ブロック、機能回路ブロック及びプログラムモジュールを端末装置１０やクライアント端末１００２に実装した場合について述べたが、本発明はこれに限らず、これらを携帯電話機やパーソナルコンピュータ等、端末装置１０やクライアント端末１００２以外の種々の端末に実装するようにしてもよく、このハードウェア回路ブロック、機能回路ブロック及びプログラムモジュールを実装した端末であれば、上述した端末装置１０やクライアント端末１００２と同様の処理を実現することができる。
産業上の利用の可能性
本発明は、例えば放送された番組に関連する関連情報をネットワークを介してクライアント端末へ提供するシステムで利用できる。
【図１】
2005006229.tif 000003
【図２】
2005006229.tif 000004
【図３】
2005006229.tif 000005
【図４】
2005006229.tif 000006
【図５】
2005006229.tif 000007
【図６】
2005006229.tif 000008
【図７】
2005006229.tif 000009
【図８】
2005006229.tif 000010
【図９】
2005006229.tif 000011
【図１０】
2005006229.tif 000012
【図１１】
2005006229.tif 000013
【図１２】
2005006229.tif 000014
【図１３】
2005006229.tif 000015
【図１４】
2005006229.tif 000016
【図１５】
2005006229.tif 000017
【国際調査報告】
2005006229.tif 000018
2005006229.tif 000019
2005006229.tif 000020
2005006229.tif 000021